(57)【要約】  本発明はＵＬ/ＤＬ伝送リソースの割り当て方法及び装置を開示する。本発明には、第１チャネル送信周期に基づき、前記第１チャネル送信周期内の所定時間・周波数リソースにおいて、前記第１チャネルを伝送し、前記第１チャネルは、少なくとも、前記第１チャネル送信周期内、または、第１チャネルの有効な時間帯におけるアップリンク伝送リソース及びダウンリンク伝送リソースの割り当て情報の通知に用いられるため、アップリンク伝送リソース及びダウンリンク伝送リソースに対する動的な分割及び通知を実現した。
2019506085.tif 000002
【特許請求の範囲】
【請求項１】
第１チャネル送信周期に基づき、前記第１チャネル送信周期内の所定時間・周波数リソースにおいて、前記第１チャネルを伝送し、前記第１チャネルは、前記第１チャネル送信周期または前記第１チャネルの有効な時間帯におけるアップリンク伝送リソース及びダウンリンク伝送リソースの割り当て情報を通知するのに用いられることを特徴とするＵＬ/ＤＬ伝送リソースの割り当て方法。
【請求項２】
前記第１チャネル送信周期は、事前に設定されるか事前に約定され、長さは、Ｎ１個のサブフレーム、または、Ｎ２個のシンボル、または、Ｎ３個のスロット、または、Ｎ４個の第１時間ユニット、または、Ｎ５個のマイクロスロットであり、ここで、Ｎ１、Ｎ２、Ｎ３、Ｎ４及びＮ５は１より大きいか等しい整数であり、前記第１時間ユニットの長さは、Ｂ１個のサブフレーム、または、Ｂ２個のシンボル、または、Ｂ３個のスロット、または、Ｂ４個のマイクロスロットに事前に定義され、Ｂ１、Ｂ２、Ｂ３及びＢ４は１より大きいか等しい整数であり、 
前記第１チャネルの有効な時間帯は事前に設定されるか、または事前に約定されたものであり、長さは、Ｍ１個のサブフレーム、または、Ｍ２個のシンボル、または、Ｍ３個のスロット、または、Ｍ４個の第１時間ユニット、または、Ｍ５個のマイクロスロットであり、ここで、Ｍ１、Ｍ２、Ｍ３、Ｍ４及びＭ５は１より大きいか等しい整数であり、前記第１時間ユニットの長さは、Ｂ１個のサブフレーム、または、Ｂ２個のシンボル、または、Ｂ３個のスロット、または、Ｂ４個のマイクロスロットに事前に定義され、Ｂ１、Ｂ２、Ｂ３及びＢ４は１より大きいか等しい整数であることを特徴とする請求項１に記載のＵＬ/ＤＬ伝送リソースの割り当て方法。
【請求項３】
前記所定時間・周波数リソースは、時間領域において前記第１チャネル送信周期内の第１個、または、先頭Ｋ１個のシンボルに位置し、Ｋ１は１より大きいか等しい整数であることを特徴とする請求項１に記載のＵＬ/ＤＬ伝送リソースの割り当て方法。
【請求項４】
前記所定時間・周波数リソースは、周波数領域において、設定されたＫ２個のサブキャリアＳＣ、または、リソース・エレメントＲＥ、または、リソース・ユニットＲＵに位置し、Ｋ２は１より大きいか等しい整数であり、ここで、前記ＲＵは、時間領域においてＸ１個のシンボルを占有し、周波数領域においてＸ２個のＳＣまたはＸ２個のＲＥを占有し、または、ＲＥは周波数領域において連続的であるかまたは非連Ｍ２個続的であり、Ｘ１及びＸ２は１より大きいか等しい整数であることを特徴とする請求項１に記載のＵＬ/ＤＬ伝送リソースの割り当て方法。
【請求項５】
前記所定時間・周波数リソースは、周波数領域において連続的であるか、または、
前記所定時間・周波数リソースは、周波数領域において所定のルールに従ってシステム帯域幅に分散され、または、ダウンリンク伝送に対応する帯域幅に分散されることを特徴とする請求項１に記載のＵＬ/ＤＬ伝送リソースの割り当て方法。
【請求項６】
前記所定時間・周波数リソースは、周波数領域において、所定粒度で前記帯域幅に分布され、または、
前記所定時間・周波数リソースは、周波数領域において前記帯域幅の最大周波数、または、最小周波数、または、中央周波数領域位置に分布されることを特徴とする請求項５に記載のＵＬ/ＤＬ伝送リソースの割り当て方法。
【請求項７】
前記第１チャネルは、前記第１チャネル送信周期または前記第１チャネルの有効な時間帯におけるアップリンク伝送リソース及びダウンリンク伝送リソースの割り当て情報を通知するのに用いられるのは、
前記第１チャネルは、少なくとも、前記第１チャネル送信周期内、または、前記第１チャネルの有効な時間帯内の各々第１時間ユニットにおけるアップリンク伝送リソース及びダウンリンク伝送リソースの割り当て情報の通知に用いられ、ここで、前記第１時間ユニットの長さは、Ｂ１個のサブフレーム、または、Ｂ２個のシンボル、または、Ｂ３個のスロット、または、Ｂ４個のマイクロスロットに事前に定義され、Ｂ１、Ｂ２、Ｂ３及びＢ４は１より大きいか等しい整数であることを特徴とする請求項１に記載のＵＬ/ＤＬ伝送リソースの割り当て方法。
【請求項８】
前記第１チャネル送信周期内、または、前記第１チャネルの有効な時間帯内の各々第１時間ユニットにおけるアップリンク伝送リソース及びダウンリンク伝送リソースの割り当ては同様であり、または、
前記第１チャネル送信周期内、または、前記第１チャネルの有効な時間帯内の各々第１時間ユニットにおけるアップリンク伝送リソース及びダウンリンク伝送リソースの割り当てはそれぞれ異なり、または、
前記第１チャネル送信周期内、または、前記第１チャネルの有効な時間帯内の一部の第１時間ユニットにおけるアップリンク伝送リソース及びダウンリンク伝送リソースの割り当ては同様であり、一部の第１時間ユニットにおけるアップリンク伝送リソース及びダウンリンク伝送リソースの割り当ては異なることを特徴とする請求項７に記載のＵＬ/ＤＬ伝送リソースの割り当て方法。
【請求項９】
前記アップリンク伝送リソース及びダウンリンク伝送リソースの割り当て情報は、下記シンボル位置のうちの少なくとも２種を示し、
アップリンク伝送用のシンボル、
ダウンリンク伝送用のシンボル、
ＧＰとして使用するシンボル、
または、
前記アップリンク伝送リソース及びダウンリンク伝送リソースの割り当て情報は、事前に定義された複数のＵＬ/ＤＬ割り当て構成のうちの１種を示すことを特徴とする請求項１に記載のＵＬ/ＤＬ伝送リソースの割り当て方法。
【請求項１０】
前記アップリンク伝送リソース及びダウンリンク伝送リソースの割り当て情報は、前記アップリンク伝送リソース及び前記ダウンリンク伝送リソースの、周波数領域におけるリソース位置を示すことを特徴とする請求項１ないし請求項９のいずれか１項に記載のＵＬ/ＤＬ伝送リソースの割り当て方法。
【請求項１１】
前記第１チャネル送信周期により、前記第１チャネル送信周期内の所定時間・周波数リソースにおいて前記第１チャネルを伝送する前
現在アップリンクトラフィック及びダウンリンクトラフィックに基づき、前記第１チャネル送信周期または前記第１チャネルの有効な時間帯におけるアップリンク伝送リソース及びダウンリンク伝送リソースを割り当てることを特徴とする請求項１ないし請求項９のいずれか１項に記載のＵＬ/ＤＬ伝送リソースの割り当て方法。
【請求項１２】
第１チャネル送信周期に基づき、前記第１チャネル送信周期内の所定時間・周波数リソースにおいて、前記第１チャネルを伝送する伝送モジュールを備え、前記第１チャネルは、前記第１チャネル送信周期または前記第１チャネルの有効な時間帯におけるアップリンク伝送リソース及びダウンリンク伝送リソースの割り当て情報を通知するのに用いられることを特徴とするＵＬ/ＤＬ伝送リソース割り当て装置。
【請求項１３】
前記第１チャネル送信周期は、事前に設定されるか事前に約定され、長さは、Ｎ１個のサブフレーム、または、Ｎ２個のシンボル、または、Ｎ３個のスロット、または、Ｎ４個の第１時間ユニット、または、Ｎ５個のマイクロスロットであり、ここで、Ｎ１、Ｎ２、Ｎ３、Ｎ４及びＮ５は１より大きいか等しい整数であり、前記第１時間ユニットの長さは、Ｂ１個のサブフレーム、または、Ｂ２個のシンボル、または、Ｂ３個のスロット、または、Ｂ４個のマイクロスロットに事前に定義され、Ｂ１、Ｂ２、Ｂ３及びＢ４は１より大きいか等しい整数であり、
前記第１チャネルの有効な時間帯は事前に設定されるか、または事前に約定されたものであり、長さは、Ｍ１個のサブフレーム、または、Ｍ２個のシンボル、または、Ｍ３個のスロット、または、Ｍ４個の第１時間ユニット、または、Ｍ５個のマイクロスロットであり、ここで、Ｍ１、Ｍ２、Ｍ３、Ｍ４及びＭ５は１より大きいか等しい整数であり、前記第１時間ユニットの長さは、Ｂ１個のサブフレーム、または、Ｂ２個のシンボル、または、Ｂ３個のスロット、または、Ｂ４個のマイクロスロットに事前に定義され、Ｂ１、Ｂ２、Ｂ３及びＢ４は１より大きいか等しい整数であることを特徴とする請求項１２に記載のＵＬ/ＤＬ伝送リソース割り当て装置。
【請求項１４】
前記所定時間・周波数リソースは、時間領域において前記第１チャネル送信周期内の第１個、または、先頭Ｋ１個のシンボルに位置し、Ｋ１は１より大きいか等しい整数であることを特徴とする請求項１２に記載のＵＬ/ＤＬ伝送リソース割り当て装置。
【請求項１５】
前記所定時間・周波数リソースは、周波数領域において、設定されたＫ２個のサブキャリアＳＣ、または、リソース・エレメントＲＥ、または、リソース・ユニットＲＵに位置し、Ｋ２は１より大きいか等しい整数であり、ここで、前記ＲＵは、時間領域においてＸ１個のシンボルを占有し、周波数領域においてＸ２個のＳＣまたはＸ２個のＲＥを占有し、または、ＲＥは周波数領域において連続的であるかまたは非連Ｍ２個続的であり、Ｘ１及びＸ２は１より大きいか等しい整数であることを特徴とする請求項１２に記載のＵＬ/ＤＬ伝送リソース割り当て装置。
【請求項１６】
前記所定時間・周波数リソースは、周波数領域において連続的であるか、または、
前記所定時間・周波数リソースは、周波数領域において所定のルールに従ってシステム帯域幅に分散され、または、ダウンリンク伝送に対応する帯域幅に分散されることを特徴とする請求項１２に記載のＵＬ/ＤＬ伝送リソース割り当て装置。
【請求項１７】
前記所定時間・周波数リソースは、周波数領域において、所定粒度で前記帯域幅に分布され、または、
前記所定時間・周波数リソースは、周波数領域において前記帯域幅の最大周波数、または、最小周波数、または、中央周波数領域位置に分布されることを特徴とする請求項１６に記載のＵＬ/ＤＬ伝送リソース割り当て装置。
【請求項１８】
前記第１チャネルは、前記第１チャネル送信周期または前記第１チャネルの有効な時間帯におけるアップリンク伝送リソース及びダウンリンク伝送リソースの割り当て情報を通知するのに用いられるのは、
前記第１チャネルは、少なくとも、前記第１チャネル送信周期内、または、前記第１チャネルの有効な時間帯内の各々第１時間ユニットにおけるアップリンク伝送リソース及びダウンリンク伝送リソースの割り当て情報の通知に用いられ、
ここで、前記第１時間ユニットの長さは、Ｂ１個のサブフレーム、または、Ｂ２個のシンボル、または、Ｂ３個のスロット、または、Ｂ４個のマイクロスロットに事前に定義され、Ｂ１、Ｂ２、Ｂ３及びＢ４は１より大きいか等しい整数であることを特徴とする請求項１２に記載のＵＬ/ＤＬ伝送リソース割り当て装置。
【請求項１９】
前記第１チャネル送信周期内、または、前記第１チャネルの有効な時間帯内の各々第１時間ユニットにおけるアップリンク伝送リソース及びダウンリンク伝送リソースの割り当ては同様であり、または、
前記第１チャネル送信周期内、または、前記第１チャネルの有効な時間帯内の各々第１時間ユニットにおけるアップリンク伝送リソース及びダウンリンク伝送リソースの割り当てはそれぞれ異なり、または、
前記第１チャネル送信周期内、または、前記第１チャネルの有効な時間帯内の一部の第１時間ユニットにおけるアップリンク伝送リソース及びダウンリンク伝送リソースの割り当ては同様であり、一部の第１時間ユニットにおけるアップリンク伝送リソース及びダウンリンク伝送リソースの割り当ては異なることを特徴とする請求項１８に記載のＵＬ/ＤＬ伝送リソース割り当て装置。
【請求項２０】
前記アップリンク伝送リソース及びダウンリンク伝送リソースの割り当て情報は、下記シンボル位置のうちの少なくとも２種を示し、
アップリンク伝送用のシンボル、
ダウンリンク伝送用のシンボル、
ＧＰとして使用するシンボル、
または、
前記アップリンク伝送リソース及びダウンリンク伝送リソースの割り当て情報は、事前に定義された複数のＵＬ/ＤＬ割り当て構成のうちの１種を示すことを特徴とする請求項１２に記載のＵＬ/ＤＬ伝送リソース割り当て装置。
【請求項２１】
前記アップリンク伝送リソース及びダウンリンク伝送リソースの割り当て情報は、前記アップリンク伝送リソース及び前記ダウンリンク伝送リソースの、周波数領域におけるリソース位置を示すことを特徴とする請求項１２ないし請求項２０のいずれか１項に記載のＵＬ/ＤＬ伝送リソース割り当て装置。
【請求項２２】
前記第１チャネル送信周期により、前記第１チャネル送信周期内の所定時間・周波数リソースにおいて前記第１チャネルを伝送する前、現在アップリンクトラフィック及びダウンリンクトラフィックに基づき、前記第１チャネル送信周期または前記第１チャネルの有効な時間帯におけるアップリンク伝送リソース及びダウンリンク伝送リソースを割り当てる割り当てモジュールをさらに備えることを特徴とする請求項１２ないし請求項２０のいずれか１項に記載のＵＬ/ＤＬ伝送リソース割り当て装置。
【請求項２３】
前記装置は、基地局、または、端末であることを特徴とする請求項１２ないし請求項２０のいずれか１項に記載のＵＬ/ＤＬ伝送リソース割り当て装置。
【請求項２４】
プロセッサと、メモリと、送受信機と、バスインタフェースとを備え、
前記プロセッサは、メモリに格納されたプログラムを読み出し、第１チャネル送信周期に基づき、前記第１チャネル送信周期内の所定時間・周波数リソースにおいて、前記第１チャネルを伝送し、前記第１チャネルは、前記第１チャネル送信周期または前記第１チャネルの有効な時間帯におけるアップリンク伝送リソース及びダウンリンク伝送リソースの割り当て情報を通知するのに用いられることを特徴とするＵＬ/ＤＬ伝送リソース割り当て装置。
【発明の詳細な説明】
【技術分野】
【０００１】
本発明は通信技術分野に関し、特にＵＬ/ＤＬ伝送リソースの割り当て方法及び装置に関する。
【背景技術】
【０００２】
ＬＴＥ（Ｌｏｎｇ Ｔｅｒｍ Ｅｖｏｌｕｔｉｏｎ）システムにおいて、従来のチャネル伝送は、ＴＴＩ（Ｔｒａｎｓｍｉｓｓｉｏｎ Ｔｉｍｅ Ｉｎｔｅｒｖａｌ，伝送時間間隔）=１ｍｓにより定義され、即ち、１ＴＴＩが１サブフレームであり、長さは１ｍｓである。
【０００３】
ＬＴＥ ＴＤＤ（Ｔｉｍｅ Ｄｉｖｉｓｉｏｎ Ｄｕｐｌｅｘｉｎｇ）システムにおいて、ＵＬ/ＤＬ伝送に同様な周波数領域リソースを共有するため、無線フレームを単位としてＵＬ/ＤＬ伝送サブフレーム（即ち、ＴＤＤＵＬ/ＤＬ構成）に分け、ＵＬ/ＤＬトラフィック伝送に使わせる。図１にＦＳ２（ｆｒａｍｅ ｓｔｒｕｃｔｕｒｅ ｔｙｐｅ ２）の例を挙げてＬＴＥ ＴＤＤシステムのフレーム構成を示す。ＦＳ２の場合、１０ｍｓ無線フレームは２つの５ｍｓハーフフレームにより構成され、１ハーフフレームに５つの１ｍｓのサブフレームが含まれる。ＦＳ２場合のサブフレームは、ダウンリンクサブフレーム、アップリンクサブフレーム及びスペシャルサブフレームとの３種に分けられ、スペシャルサブフレームは、ダウンリンク伝送スロット（ＤｗＰＴＳ，Ｄｏｗｎｌｉｎｋ Ｐｉｌｏｔ Ｔｉｍｅ Ｓｌｏｔ）、ＧＰ（Ｇｕａｒｄ Ｐｅｒｉｏｄ）及びアップリンク伝送スロット（ＵｐＰＴＳ，Ｕｐｌｉｎｋ Ｐｉｌｏｔ Ｔｉｍｅ Ｓｌｏｔ）より構成される。ここで、ＤｗＰＴＳはダウンリンクパイロット、ダウンリンクトラフィックデータ及びダウンリンク制御シグナリングを伝送することができる。ＧＰはいかなる信号も伝送しない。ＵｐＰＴＳは、ランダムアクセス及びＳＲＳ（Ｓｏｕｎｄｉｎｇ ｒｅｆｅｒｅｎｃｅ Ｓｙｍｂｏｌ）のみを伝送し、アップリンクトラフィックまたはアップリンク制御情報を伝送することができない。異なるＴＤＤＵＬ/ＤＬ構成は、異なるアップリンクサブフレーム及びダウンリンクサブフレーム割り当ての割合及び/または異なるＵＬ/ＤＬスイッチ周期を有し、表１に示す。表１は、ＦＳ２によりサポートする７種のＵＬ/ＤＬサブフレーム構成を示す。
【０００４】
【表１】
2019506085.tif 000003
【０００５】
ＴＤＤのアップリンク及びダウンリンク伝送に同様なスペクトラムリソースが共有されるため、異なるＴＤＤＵＬ/ＤＬ構成に、時間領域上の異なるアップリンクサブフレーム及びダウンリンクサブフレームの割合が異なり、これにより、時間領域上のアップリンク伝送リソース及びダウンリンク伝送リソースの分け方も提示される。従来技術に、ＴＤＤＵＬ/ＤＬ構成は、高位層シグナリングにより事前に設定され、静的または半静的な可変設定であり、快速なＵＬ/ＤＬトラフィック変化要求を答えられず、かつ、サブフレームレベルのＵＬ/ＤＬ割合は変化する。動的なＴＤＤ技術は、シグナリングにより一部のアップリンクサブフレームの伝送方向を、アップリンク・ダウンリンクの間で変化させるが、一部のアップリンクサブフレーム構成のみに対応し、かつ、サブフレームレベルのアップリンク、ダウンリンク割合が変化する。
【０００６】
モバイル通信技術の発展と伴い、今後モバイル通信システムは、より短い伝送時間間隔でより小さいユーザープレーン遅延を得、伝送効率及びユーザー体験を向上する。伝送時間間隔は、０.５ｍｓより小さい、または、複数または１シンボルレベルまでに短縮されることにより、ＬＴＥシステムの１サブフレームにおいて、複数のＴＤＭ（Ｔｉｍｅ Ｄｉｖｉｓｉｏｎ Ｍｕｌｔｉｐｌｅｘｉｎｇ）のアップリンク及び/またはダウンリンク伝送が可能となる。動的に変化するＵＬ/ＤＬトラフィックの要求にさらに適合し、スペクトラムリソースの利用率を向上するため、アップリンク送信リソースおよびダウンリンク送信リソースを動的に割り当てる解決案を提供することが非常に望ましい。
【発明の概要】
【発明が解決しようとする課題】
【０００７】
本発明に係る実施例は、ＵＬ/ＤＬ伝送リソースの割り当て方法及び装置を提供し、アップリンク伝送リソース及びダウンリンク伝送リソースを動的に分割することができるようにする。
【課題を解決するための手段】
【０００８】
本発明の実施例に係るＵＬ/ＤＬ伝送リソースの割り当て方法は、
第１チャネル送信周期に基づき、前記第１チャネル送信周期内の所定時間・周波数リソースにおいて、前記第１チャネルを伝送（送信または受信）し、前記第１チャネルは、前記第１チャネル送信周期または前記第１チャネルの有効な時間帯におけるアップリンク伝送リソース及びダウンリンク伝送リソースの割り当て情報を通知するのに用いられる。
【０００９】
好ましくは、前記第１チャネル送信周期は、事前に設定されるか事前に約定され、長さは、Ｎ１個のサブフレーム、または、Ｎ２個のシンボル、または、Ｎ３個のスロット、または、Ｎ４個の第１時間ユニット、または、Ｎ５個のマイクロスロットであり、ここで、Ｎ１、Ｎ２、Ｎ３、Ｎ４及びＮ５は１より大きいか等しい整数であり、前記第１時間ユニットの長さは、Ｂ１個のサブフレーム、または、Ｂ２個のシンボル、または、Ｂ３個のスロット、または、Ｂ４個のマイクロスロットに事前に定義され、Ｂ１、Ｂ２、Ｂ３及びＢ４は１より大きいか等しい整数であり、
前記第１チャネルの有効な時間帯は事前に設定されるか、または事前に約定されたものであり、長さは、Ｍ１個のサブフレーム、または、Ｍ２個のシンボル、または、Ｍ３個のスロット、または、Ｍ４個の第１時間ユニット、または、Ｍ５個のマイクロスロットであり、ここで、Ｍ１、Ｍ２、Ｍ３、Ｍ４及びＭ５は１より大きいか等しい整数であり、前記第１時間ユニットの長さは、Ｂ１個のサブフレーム、または、Ｂ２個のシンボル、または、Ｂ３個のスロット、または、Ｂ４個のマイクロスロットに事前に定義され、Ｂ１、Ｂ２、Ｂ３及びＢ４は１より大きいか等しい整数である。
【００１０】
好ましくは、前記所定時間・周波数リソースは、時間領域において前記第１チャネル送信周期内の第１個、または、先頭Ｋ１個のシンボルに位置し、Ｋ１は１より大きいか等しい整数である。
【００１１】
好ましくは、前記所定時間・周波数リソースは、周波数領域において、設定されたＫ２個のサブキャリアＳＣ、または、リソース・エレメントＲＥ、または、リソース・ユニットＲＵに位置し、Ｋ２は１より大きいか等しい整数であり、ここで、前記ＲＵは、時間領域においてＸ１個のシンボルを占有し、周波数領域においてＸ２個のＳＣまたはＸ２個のＲＥを占有し、または、ＲＥは周波数領域において連続的であるかまたは非連続的であり、Ｘ１及びＸ２は１より大きいか等しい整数である。
【００１２】
好ましくは、前記所定時間・周波数リソースは、周波数領域において連続的であるか、または、前記所定時間・周波数リソースは、周波数領域において所定のルールに従ってシステム帯域幅に分散され、または、ダウンリンク伝送に対応する帯域幅に分散される。
【００１３】
ここで、前記所定時間・周波数リソースは、周波数領域において、所定粒度で前記帯域幅に分布され、または、前記所定時間・周波数リソースは、周波数領域において前記帯域幅の最大周波数、または、最小周波数、または、中央周波数領域位置に分布される。
【００１４】
好ましくは、前記第１チャネルは、前記第１チャネル送信周期または前記第１チャネルの有効な時間帯におけるアップリンク伝送リソース及びダウンリンク伝送リソースの割り当て情報を通知するのに用いられるのは、
前記第１チャネルは、少なくとも、前記第１チャネル送信周期内、または、前記第１チャネルの有効な時間帯内の各々第１時間ユニットにおけるアップリンク伝送リソース及びダウンリンク伝送リソースの割り当て情報の通知に用いられ、ここで、前記第１時間ユニットの長さは、Ｂ１個のサブフレーム、または、Ｂ２個のシンボル、または、Ｂ３個のスロット、または、Ｂ４個のマイクロスロットに事前に定義され、Ｂ１、Ｂ２、Ｂ３及びＢ４は１より大きいか等しい整数である。
【００１５】
ここで、前記第１チャネル送信周期内、または、前記第１チャネルの有効な時間帯内の各々第１時間ユニットにおけるアップリンク伝送リソース及びダウンリンク伝送リソースの割り当ては同様であり、または、
前記第１チャネル送信周期内、または、前記第１チャネルの有効な時間帯内の各々第１時間ユニットにおけるアップリンク伝送リソース及びダウンリンク伝送リソースの割り当てはそれぞれ異なり、または、
前記第１チャネル送信周期内、または、前記第１チャネルの有効な時間帯内の一部の第１時間ユニットにおけるアップリンク伝送リソース及びダウンリンク伝送リソースの割り当ては同様であり、一部の第１時間ユニットにおけるアップリンク伝送リソース及びダウンリンク伝送リソースの割り当ては異なる。
【００１６】
好ましくは、前記アップリンク伝送リソース及びダウンリンク伝送リソースの割り当て情報は、アップリンク伝送用のシンボルと、ダウンリンク伝送用のシンボルと、ＧＰとして使用するシンボルとのうちの少なくとも２種を示し、または、前記アップリンク伝送リソース及びダウンリンク伝送リソースの割り当て情報は、事前に定義された複数のＵＬ/ＤＬ割り当て構成のうちの１種を示す。
【００１７】
好ましくは、前記アップリンク伝送リソース及びダウンリンク伝送リソースの割り当て情報は、前記アップリンク伝送リソース及び前記ダウンリンク伝送リソースの、周波数領域におけるリソース位置を示す。
【００１８】
好ましくは、前記第１チャネル送信周期により、前記第１チャネル送信周期内の所定時間・周波数リソースにおいて前記第１チャネルを伝送する前、現在アップリンクトラフィック及びダウンリンクトラフィックに基づき、前記第１チャネル送信周期または前記第１チャネルの有効な時間帯におけるアップリンク伝送リソース及びダウンリンク伝送リソースを割り当てる。
【００１９】
本発明の実施例に係るＵＬ/ＤＬ伝送リソース割り当て装置は、
第１チャネル送信周期に基づき、前記第１チャネル送信周期内の所定時間・周波数リソースにおいて前記第１チャネルを伝送（送信または受信）する装置を備え、前記第１チャネルは、前記第１チャネル送信周期または前記第１チャネルの有効な時間帯におけるアップリンク伝送リソース及びダウンリンク伝送リソースの割り当て情報を通知するのに用いられる。
【００２０】
好ましくは、前記第１チャネル送信周期は、事前に設定されるか事前に約定され、長さは、Ｎ１個のサブフレーム、または、Ｎ２個のシンボル、または、Ｎ３個のスロット、または、Ｎ４個の第１時間ユニット、または、Ｎ５個のマイクロスロットであり、ここで、Ｎ１、Ｎ２、Ｎ３、Ｎ４及びＮ５は１より大きいか等しい整数であり、前記第１時間ユニットの長さは、Ｂ１個のサブフレーム、または、Ｂ２個のシンボル、または、Ｂ３個のスロット、または、Ｂ４個のマイクロスロットに事前に定義され、Ｂ１、Ｂ２、Ｂ３及びＢ４は１より大きいか等しい整数であり、
前記第１チャネルの有効な時間帯は事前に設定されるか、または事前に約定されたものであり、長さは、Ｍ１個のサブフレーム、または、Ｍ２個のシンボル、または、Ｍ３個のスロット、または、Ｍ４個の第１時間ユニット、または、Ｍ５個のマイクロスロットであり、ここで、Ｍ１、Ｍ２、Ｍ３、Ｍ４及びＭ５は１より大きいか等しい整数であり、前記第１時間ユニットの長さは、Ｂ１個のサブフレーム、または、Ｂ２個のシンボル、または、Ｂ４個のマイクロスロットに事前に定義され、Ｂ１、Ｂ２、Ｂ３及びＢ４は１より大きいか等しい整数である。
【００２１】
好ましくは、前記所定時間・周波数リソースは、時間領域において前記第１チャネル送信周期内の第１個、または、先頭Ｋ１個のシンボルに位置し、Ｋ１は１より大きいか等しい整数である。
【００２２】
好ましくは、前記所定時間・周波数リソースは、周波数領域において、設定されたＫ２個のサブキャリアＳＣ、または、リソース・エレメントＲＥ、または、リソース・ユニットＲＵに位置し、Ｋ２は１より大きいか等しい整数であり、ここで、前記ＲＵは、時間領域においてＸ１個のシンボルを占有し、周波数領域においてＸ２個のＳＣまたはＸ２個のＲＥを占有し、または、ＲＥは周波数領域において連続的であるかまたは非連Ｍ２個続的であり、Ｘ１及びＸ２は１より大きいか等しい整数である。
【００２３】
好ましくは、前記所定時間・周波数リソースは、周波数領域において連続的であるか、または、前記所定時間・周波数リソースは、周波数領域において所定のルールに従ってシステム帯域幅に分散され、または、ダウンリンク伝送に対応する帯域幅に分散される。
【００２４】
ここで、前記所定時間・周波数リソースは、周波数領域において、所定粒度で前記帯域幅に分布され、または、前記所定時間・周波数リソースは、周波数領域において前記帯域幅の最大周波数、または、最小周波数、または、中央周波数領域位置に分布される。
【００２５】
好ましくは、前記第１チャネルは、前記第１チャネル送信周期または前記第１チャネルの有効な時間帯におけるアップリンク伝送リソース及びダウンリンク伝送リソースの割り当て情報を通知するのに用いられるのは、
前記第１チャネルは、少なくとも、前記第１チャネル送信周期内、または、前記第１チャネルの有効な時間帯内の各々第１時間ユニットにおけるアップリンク伝送リソース及びダウンリンク伝送リソースの割り当て情報の通知に用いられ、ここで、前記第１時間ユニットの長さは、Ｂ１個のサブフレーム、または、Ｂ２個のシンボル、または、Ｂ３個のスロット、または、Ｂ４個のマイクロスロットに事前に定義され、Ｂ１、Ｂ２、Ｂ３及びＢ４は１より大きいか等しい整数である。
【００２６】
ここで、前記第１チャネル送信周期内、または、前記第１チャネルの有効な時間帯内の各々第１時間ユニットにおけるアップリンク伝送リソース及びダウンリンク伝送リソースの割り当ては同様であり、または、
前記第１チャネル送信周期内、または、前記第１チャネルの有効な時間帯内の各々第１時間ユニットにおけるアップリンク伝送リソース及びダウンリンク伝送リソースの割り当てはそれぞれ異なり、または、
前記第１チャネル送信周期内、または、前記第１チャネルの有効な時間帯内の一部の第１時間ユニットにおけるアップリンク伝送リソース及びダウンリンク伝送リソースの割り当ては同様であり、一部の第１時間ユニットにおけるアップリンク伝送リソース及びダウンリンク伝送リソースの割り当ては異なる。
【００２７】
好ましくは、前記アップリンク伝送リソース及びダウンリンク伝送リソースの割り当て情報は、アップリンク伝送用のシンボルと、ダウンリンク伝送用のシンボルと、ＧＰとして使用するシンボルとのうちの少なくとも２種を示し、または、前記アップリンク伝送リソース及びダウンリンク伝送リソースの割り当て情報は、事前に定義された複数のＵＬ/ＤＬ割り当て構成のうちの１種を示す。
【００２８】
好ましくは、前記アップリンク伝送リソース及びダウンリンク伝送リソースの割り当て情報は、前記アップリンク伝送リソース及び前記ダウンリンク伝送リソースの、周波数領域におけるリソース位置を示す。
【００２９】
好ましくは、前記第１チャネル送信周期により、前記第１チャネル送信周期内の所定時間・周波数リソースにおいて前記第１チャネルを伝送する前、現在アップリンクトラフィック及びダウンリンクトラフィックに基づき、前記第１チャネル送信周期または前記第１チャネルの有効な時間帯におけるアップリンク伝送リソース及びダウンリンク伝送リソースを割り当てる割り当てモジュールをさらに備える。
【００３０】
好ましくは、前記装置は、基地局、または、端末である。
【００３１】
本発明の実施例に係る他のＵＬ/ＤＬ伝送リソース割り当て装置は、プロセッサと、メモリと、送受信機と、バスインタフェースとを備え、
前記プロセッサは、メモリに格納されたプログラムを読み出し、第１チャネル送信周期に基づき、前記第１チャネル送信周期内の所定時間・周波数リソースにおいて、前記第１チャネルを伝送（送信または受信）し、前記第１チャネルは、前記第１チャネル送信周期または前記第１チャネルの有効な時間帯におけるアップリンク伝送リソース及びダウンリンク伝送リソースの割り当て情報を通知するのに用いられる。
【発明の効果】
【００３２】
本発明の上記実施例によれば、第１チャネル送信周期に基づき、前記第１チャネル送信周期内の所定時間・周波数リソースにおいて、前記第１チャネルを伝送し、前記第１チャネルは、少なくとも、前記第１チャネル送信周期内、または、第１チャネルの有効な時間帯におけるアップリンク伝送リソース及びダウンリンク伝送リソースの割り当て情報の通知に用いられるため、アップリンク伝送リソース及びダウンリンク伝送リソースに対する動的な分割及び通知を実現した。
【図面の簡単な説明】
【００３３】
【図１】従来技術のＬＴＥ ＴＤＤシステムのフレーム構成図である
【図２】本発明の実施例に係るネットワーク側でのＵＬ/ＤＬ伝送リソース割り当てフローチャートである。
【図３】本発明の実施例に係る端末側ＵＬ/ＤＬ伝送リソース割り当てフローチャート示である。
【図４】本発明に係る実施例におけるアップリンク伝送リソース及びダウンリンク伝送リソースの割り当てを示す図である。
【図５】本発明の１実施例に係る基地局の構成図である。
【図６】本発明の１実施例に係る端末の構成図である。
【図７】本発明他の実施例に係る基地局の構成図である。
【図８】本発明の他の実施例に係る端末の構成図である。
【発明を実施するための形態】
【００３４】
モバイル通信トラフィックに対する要求の進展と伴い、ＩＴＵなど複数機関は今後モバイル通信システムに対し、より高いユーザープレーン遅延性能への要求を定義した。ユーザー遅延性能を短縮する主な方法の１つとしては、伝送時間間隔（ＴＴＩ，Ｔｒａｎｓｍｉｓｓｉｏｎ Ｔｉｍｅ Ｉｎｔｅｒｖａｌ）の長さを低減することである。また、トラフィックへの要求の動的な変化に従って、アップリンク及びダウンリンクトラフィックも変化される。スペクトラムリソースをよりよく利用するため、本発明に係る実施例には、ＵＬ/ＤＬ伝送リソースの動的な割り当て案を提供し、本発明に係る実施例がＬＴＥシステムに利用される場合、ＬＴＥシステムの１サブフレームにおいて、アップリンク伝送リソース及びダウンリンク伝送リソースを動的に割り当て、ＵＬ/ＤＬ伝送トラフィックへの要求によりよく適合し、スペクトラムリソースの利用率を向上する。
【００３５】
本発明に係る実施例において、基地局は、ＬＴＥシステムにおけるｅＮＢ（Ｅｖｏｌｕｔｉｏｎａｌ Ｎｏｄｅ Ｂ， ｅＮＢまたはｅ−ＮｏｄｅＢと略称）、マクロｅＮＢ、マイクロｅＮＢ（ｓｍａｌｌ ｅＮＢとも呼ばれる）、ピコｅＮＢ、ＡＰ（Ａｃｃｅｓｓ Ｐｏｉｎｔ）またはＴＰ（Ｔｒａｎｓｍｉｓｓｉｏｎ Ｐｏｉｎｔ）及び次世代無線通信システムの基地局等であることができるし、また、基地局はセルやセクターのような概念として使うこともでき、本発明に係る実施例には、これらに対して限定しない。
【００３６】
本発明に係る実施例において、端末は、無線通信機能を有するハンドへルドデバイス、車載装置、ウェアラブル装置、コンピューティング装置、または無線モデムに接続された別の処理装置、様々なＵＥ、ＭＳ（Ｍｏｂｉｌｅ ｓｔａｔｉｏｎ，移動局）、端末（ｔｅｒｍｉｎａｌ）、ターミナル機器（Ｔｅｒｍｉｎａｌ Ｅｑｕｉｐｍｅｎｔ）等であることができるが、本発明に係る実施例にはこれらに対して限定しない。
【００３７】
本発明に係る実施例において、ＬＴＥは、３ＧＰＰ（３ｒｄ Ｇｅｎｅｒａｔｉｏｎ Ｐａｒｔｎｅｒｓｈｉｐ Ｐｒｏｊｅｃｔ）リリース８（Ｒｅｌ−８またはＲ８）、リリース９（Ｒｅｌ−９またはＲ９）、リリース１０（Ｒｅｌ−１０またはＲ１０）リリース１０及びその以後のリリースに対応することができ、ＬＴＥネットワーク構成は、マクロ・セルラー、マイクロ・セルラー、ピコ・セルラー、フェムト・ネットワーク、リピーターおよびフォワーディング・ノードを含むネットワーク、または様々なハイブリッド・ネットワーク構造（マクロ・セルラー、マイクロセルラー、ピコセルラー、フェムトネットワーク、および中継器および転送ノードうちの1つまたは複数により構成される）等であることができるが、本発明に係る実施例にはこれらに対して限定しない。
【００３８】
以下、図面を参照しながら本発明に係る実施例を詳しく説明する。
【００３９】
図２は、本発明の実施例に係るネットワーク側でのＵＬ/ＤＬ伝送リソース割り当てフローチャートであり、当該フローチャートは基地局より執行される。
【００４０】
図に示すように、当該フローチャートは以下のステップを備える
【００４１】
ステップ２０２において、第１チャネル送信周期に基づき、前記第１チャネル送信周期内の所定時間・周波数リソースにおいて、前記第１チャネルを伝送し、前記第１チャネルは、前記第１チャネル送信周期または前記第１チャネルの有効な時間帯におけるアップリンク伝送リソース及びダウンリンク伝送リソースの割り当て情報を通知するのに用いられる。
【００４２】
ここで、前記第１チャネルは、新たに設計したチャネルであるか、または、従来ＬＴＥシステムのチャネルであることができ、本発明に係る実施例にはこれを限定しない。
【００４３】
ＬＴＥシステムに定義された無線フレーム及びサブフレームは、短ＴＴＩ伝送に用いられるが、一部のみのサブフレームが短ＴＴＩ伝送に用いられる可能性もある。短ＴＴＩ伝送に用いられる１サブフレームにおいて、シンボルを粒度としてアップリンク伝送リソース及びダウンリンク伝送リソースの割り当てをサポートすることができる。本実施例において、前記第１チャネル送信周期内に、少なくとも、短ＴＴＩ伝送用のサブフレーム１つが含まれ、アップリンク伝送リソース及びダウンリンク伝送リソースの割り当ては、短ＴＴＩ伝送ためのサブフレームにおいて行われ、第１チャネル送信周期内に短ＴＴＩ伝送に用いられないサブフレームが含まれる場合、アップリンク伝送リソース及びダウンリンク伝送リソースの割り当てには、これらの短ＴＴＩ伝送に用いられないサブフレームをスキープする。
【００４４】
ここで、前記アップリンク伝送リソース及びダウンリンク伝送リソースの割り当て情報は、前記アップリンク伝送リソース及び前記ダウンリンク伝送リソースの周波数領域におけるリソースを示し、前記アップリンク伝送リソース及び前記ダウンリンク伝送リソースの、周波数領域におけるリソース位置は同様であるかまたは異なり、前記リソース位置は、周波数領域において全部または一部のシステム帯域幅を占有する領域である。
【００４５】
さらに、図２に示すフローチャート中のステップ２０１の前、さらに以下のステップを備える。
【００４６】
ステップ２０１において、現在アップリンクトラフィック及びダウンリンクトラフィックに基づき、前記第１チャネル送信周期または前記第１チャネルの有効な時間帯におけるアップリンク伝送リソース及びダウンリンク伝送リソースを割り当てる。
【００４７】
ここで、ＵＬ/ＤＬトラフィックの変化に応じて、アップリンク伝送リソース及びダウンリンク伝送リソースを動的に割り当てる。アップリンクトラフィックがダウンリンクトラフィックより大きければ、割り当てされたアップリンク伝送リソースがダウンリンク伝送リソースより多い。さもないと、ダウンリンクトラフィックがアップリンクトラフィックより大きければ、割り当てられたダウンリンク伝送リソースはアップリンク伝送リソースより多い。
【００４８】
さらに、図２に示すフローチャートのステップ２０２の後、以下のステップをさらに備える。
【００４９】
ステップ２０３において、前記第１チャネル送信周期または前記第１チャネルの有効な時間帯におけるアップリンク伝送リソース及びダウンリンク伝送リソースの割り当てに基づき、データを伝送する。具体的に、アップリンク伝送リソースにおいてアップリンク伝送を行い、ダウンリンク伝送リソースにおいてダウンリンク伝送を行う。
【００５０】
図２に示すフローチャートよりわかるように、第１チャネル送信周期に基づき、前記第１チャネル送信周期内の所定時間・周波数リソースにおいて、前記第１チャネルを伝送し、前記第１チャネルは、少なくとも、前記第１チャネル送信周期内、または、第１チャネルの有効な時間帯におけるアップリンク伝送リソース及びダウンリンク伝送リソースの割り当て情報の通知に用いられるため、アップリンク伝送リソース及びダウンリンク伝送リソースの動的な割り当てを実現した。
【００５１】
本発明の一部の実施例には、前記第１チャネル送信周期は、事前に設定されるか事前に約定され、長さはＮ１個のサブフレーム、または、Ｎ２個のシンボルであり、Ｎ１及びＮ２は１より大きいか等しい整数である。及び/または、前記第１チャネルの有効な時間帯は事前に設定されるか、または事前に約定されたものであり、長さは、Ｍ１個のサブフレーム、または、Ｍ２個のシンボルであり、Ｍ１及びＭ２は１より大きいか等しい整数である。
【００５２】
例えば、第１チャネルの有効な時間帯は、第１チャネル送信の後（即ち、前記第１チャネル伝送が行われるシンボル、または、サブフレーム、または、スロット、または、マイクロスロットが含まれない）、または、第１チャネル送信が行われるシンボルが含まれるＡ１個のシンボル、または、Ａ２個のサブフレーム、または、Ａ３個のスロット、または、Ａ４個のマイクロスロットに事前に設定される。即ち、第１チャネルにより設定されたアップリンク伝送リソース及びダウンリンク伝送リソースの割り当て情報は当該時間帯において有効である。有効な時間帯が送信周期より大きければ、例えば、複数の送信周期が含まれば、有効な時間帯において送信される複数の第１チャネルが指示する内容は同様である。ここで、マイクロスロット（ｍｉｎｉ−ｓｌｏｔ）は、事前定義されるか、または、Ｘ個の（Ｘは１より大きいか等しい整数である）シンボルが含まれる時間ユニットを示す。有効な時間帯内の最後に受信した第１チャネルにより指示する内容を基準としてもよい。
【００５３】
例えば、有効な時間帯は、第１チャネル送信が行われるスロットが含まれる２個のスロットであり、第１チャネル送信周期は１スロットである。即ち、スロットごとに１つの第１チャネルを送信し、この場合、２番目送信された第１チャネルの指示内容に準ずる。
【００５４】
さらに、例えば、有効な時間帯を、現在スロットにおいて送信される第１チャネルにより指示する次のスロットのアップリンク伝送リソース及びダウンリンク伝送リソースの割り当て情報に定義してもよい。この場合、送信周期を各々スロットに定義することができ、スロットiにおいて送信する第１チャネルは、スロットi+１におけるアップリンク伝送リソース及びダウンリンク伝送リソースの割り当て情報を指示することに用いられる。
【００５５】
さらに、例えば、有効な時間帯を、現在スロットにおいて送信される第１チャネルにより指示する現在スロット後の複数のスロットのうちの各スロットのアップリンク伝送リソース及びダウンリンク伝送リソースの割り当て情報に定義してもよい。この場合、送信周期が有効な時間帯より短い場合、例えば、各スロットにおいて送信するように定義すれば、隣接する３つのスロットのうち、３番目のスロットは、１番目のスロットにおいて送信する第１チャネルの有効な時間帯に含まれ、また、２番目のスロットにおいて送信する第１チャネルの有効な時間帯にも含まれる。この際、最後に受信した第１チャネルの指示情報に準ずる。
【００５６】
このように、ＬＴＥシステムに定義された無線フレーム及びサブフレームは、短ＴＴＩ伝送に用いられるが、一部のみのサブフレームが短ＴＴＩ伝送に用いられる可能性もある。ＬＴＥシステムに定義されたサブフレームのうち、一部のみのサブフレームが短ＴＴＩ伝送に用いられれば、短ＴＴＩ伝送用のサブフレーム位置により、第１チャネル送信周期を決定することができる。例えば、サブフレーム２及びサブフレーム３のみが短ＴＴＩ伝送に用いられる場合、前記第１チャネル送信周期について、短ＴＴＩ伝送に用いられるサブフレームのみを計算すれば、２個のサブフレーム、または、２ｍｓ周期に設定することができる。前記第１チャネル送信周期について、全部のサブフレームが計算され、短ＴＴＩ伝送に用いられないサブフレームも含まれる場合、前記第１チャネル送信周期を、１０個のサブフレーム、または、１０ｍｓに設定することができる。即ち、前記第１チャネル送信周期を拡大することにより、制御チャネル伝送位置を正確に設定する。当該周期内に、短ＴＴＩ伝送に用いられないサブフレームの場合、それをスキップする。こうして、１つの送信周期内において、２個のサブフレーム内のアップリンク伝送リソース及びダウンリンク伝送リソースの割り当てを通知する。スロット、または、第１時間ユニットを単位とるばあいすれば、処理方は上記のサブフレームを単位とする方と類似する。
【００５７】
本発明の一部の実施例には、前記第１チャネル内の、アップリンク伝送リソース及びダウンリンク伝送リソースの割り当て情報を伝送する時間・周波数リソースを事前に定義することができ、勿論、基地局より通知されてもよい。具体的に、当該時間・周波数リソースは、時間領域において、前記第１チャネル送信周期内の第１個、または、先頭Ｋ１個のシンボルに位置することができる。Ｋ１は１より大きいか等しい整数である。前記時間・周波数リソースは、周波数領域において設定されたＫ２個のＳＣ（ＳｕｂＣａｒｒｉｅｒ，サブキャリア）、または、Ｋ２個のＲＥ（Ｒｅｓｏｕｒｃｅ Ｅｌｅｍｅｎｔ，リソース・エレメント）、または、Ｋ２個のＲＵ（Ｒｅｓｏｕｒｃｅ Ｕｎｉｔ，リソース・エレメント）に位置することができ、Ｋ２は１より大きいか等しい整数であり、その値は、事前に定義されるか、または、設定される。ここで、１ＲＵは、時間領域において占有されたＸ１個のシンボル、周波数領域において占有されたＸ２個のＳＣ、または、Ｘ２個のＲＥ的リソース領域である。前記Ｘ２個のＳＣ、または、Ｘ２個のＲＥは周波数領域において連続的であるかまたは非連続的である。Ｘ１及びＸ２は１より大きいか等しい整数であり、その値は、事前に定義されるか、または、設定される。実施の場合、伝送すべきアップリンク伝送リソース及びダウンリンク伝送リソースの割り当て情報の情報量に基づき、前記時間・周波数リソースの、時間領域において占有されたシンボル数及び周波数領域に占有されたＳＣ、または、ＲＥ、または、ＲＵ数を決定する。
【００５８】
本発明の一部の実施例には、前記第１チャネル内の、アップリンク伝送リソース及びダウンリンク伝送リソースの割り当て情報を搬送するための時間・周波数リソースは、周波数領域において連続的であってもよく所定のルールに従ってシステム帯域幅内に分散されてもよく、または、ダウンリンク伝送に対応する帯域幅内に分散されてもよい。より具体的に、前記時間・周波数リソースは、周波数領域において所定粒度で前記帯域幅内に均一に分散され、例えば、Ａ（Ａは１より大きい整数）個のＳＣ、または、ＲＥ、または、ＲＵを１グループとし、全部Ｋ２/Ａグループがあり、グループごとに等間隔で前記帯域幅内に分布される。また、周波数領域において、前記帯域幅の最大周波数、または、最小周波数、または、中央周波数領域位置に分布されてもよい。
【００５９】
本発明の一部の実施例には、前記第１チャネルは、少なくとも、前記第１チャネル送信周期内、または、前記第１チャネルの有効な時間帯内の各々サブフレームにおけるアップリンク伝送リソース及びダウンリンク伝送リソースの割り当て情報の通知に用いられる。または、前記第１チャネルは、少なくとも、前記第１チャネル送信周期内、または、前記第１チャネルの有効な時間帯内の各々第１時間ユニットにおけるアップリンク伝送リソース及びダウンリンク伝送リソースの割り当て情報の通知に用いられる。ここで、前記第１時間ユニットの長さは、Ｂ１個のサブフレーム、または、Ｂ２個のシンボルに事前に定義される。Ｂ１及びＢ２は１より大きいか等しい整数である。１例として、送信周期をＢ１個のサブフレームからなる１グループとし、または、Ｂ２個のシンボルからなる１グループとし、複数の第１時間ユニットに分ける。前記割り当て情報は、第１時間ユニットごとの、アップリンク伝送リソース及びダウンリンク伝送リソースの割り当てを示す。
【００６０】
ここで、前記第１チャネル送信周期内、または、前記第１チャネルの有効な時間帯内の各々第１時間ユニットにおけるアップリンク伝送リソース及びダウンリンク伝送リソースの割り当て状況は以下状況のうちの１つを含む。
【００６１】
〈状況１〉第１チャネル送信周期内、または、第１チャネルの有効な時間帯内の各々第１時間ユニットにおけるアップリンク伝送リソース及びダウンリンク伝送リソースの割り当ては同様である。
【００６２】
〈状況２〉第１チャネル送信周期内、または、第１チャネルの有効な時間帯内の各々第１時間ユニットにおけるアップリンク伝送リソース及びダウンリンク伝送リソースの割り当てはそれぞれ異なる。
【００６３】
〈状況３〉第１チャネル送信周期内、または、第１チャネルの有効な時間帯内の一部の第１時間ユニットにおけるアップリンク伝送リソース及びダウンリンク伝送リソースの割り当ては同様であり、一部の第１時間ユニットにおけるアップリンク伝送リソース及びダウンリンク伝送リソースの割り当ては異なる。
【００６４】
さらに、上記状況１において、サブフレーム及び/または第１時間ユニットのみを単位とするＵＬ/ＤＬ伝送リソースの割り当てを通知すればよい。状況２、または、状況３において、１つの第１チャネル送信周期に含まれる短ＴＴＩ伝送に用いられる異なるサブフレーム、または、異なる第１時間ユニットにおいて、異なるＵＬ/ＤＬ伝送リソースの割り当てがあれば、各々サブフレーム、または、各々第１時間ユニットごとに、ＵＬ/ＤＬ伝送リソース割り当てを通知することができ、このような方法も本発明に含まれる。
【００６５】
このように、アップリンク伝送リソース及びダウンリンク伝送リソースは、シンボルを粒度として割り当てられることができ、即ち、アップリンク伝送リソース及びダウンリンク伝送リソースには、１つまたは複数のシンボルが含まれる。また、アップリンク伝送リソース及びダウンリンク伝送リソースの割り当て情報は、下記シンボル位置のうちの少なくとも２種を示す。
【００６６】
- アップリンク伝送用のシンボル。例えば、アップリンク伝送用のシンボルにはＰ１個の連続的なシンボルが含まれる。当該Ｐ１個の連続的なシンボルより１つのアップリンク伝送時間帯が構成される。または、アップリンク伝送用のシンボルには、複数グループの連続的ないシンボルが含まれ、グループごとの連続的なシンボルそれぞれは、１つのアップリンク伝送時間帯を構成する。異なるアップリンク伝送時間帯の間は、連続ではない。ここで、Ｐ１は０より大きいか等しい整数である。
【００６７】
- ダウンリンク伝送用のシンボル。例えば、ダウンリンク伝送用のシンボルにはＰ２個の連続的なシンボルが含まれる。当該Ｐ２個の連続的なシンボルより１つのアップリンク伝送時間帯が構成される。または、ダウンリンク伝送用のシンボルに複数グループの連続的なシンボルが含まれ、グループごとに、連続的なシンボルそれぞれは、１つのアップリンク伝送時間帯を構成する。異なるアップリンク伝送時間帯の間は、連続ではない。ここで、Ｐ２は０より大きいか等しい整数である。
【００６８】
- ＧＰとして使用するシンボル。
【００６９】
さらに、前記第１チャネル送信周期内、または、前記第１チャネルの有効な時間帯内の各々第１時間ユニットのアップリンクリソース及びダウンリンクリソースの割り当てが同様であれば、第１チャネルの設定情報には、１個のみのサブフレーム、または、１つのみの第１時間ユニットにおけるアップリンク伝送リソース及びダウンリンク伝送リソースの割り当て情報が含まれ、こうして、シグナリングのオーバーヘッドを低減する。
【００７０】
例として、アップリンク伝送リソース及びダウンリンク伝送リソースの割り当ては、サブフレーム内のどの部分のシンボルをダウンリンク伝送に用いるか、どの部分のシンボルをアップリンク伝送に用いるか、どの部分のシンボルをＧＰとするのかを含む。従って、アップリンク伝送リソース及びダウンリンク伝送リソースの割り当て情報は、上記のような３つの部分のうちの少なくとも２つ部分のシンボル位置を示すことができる。１つのサブフレーム、または、１つの第１時間ユニット内のダウンリンク伝送用のシンボル集合及びアップリンク伝送用のシンボル集合のみを示す場合、端末は、１つのサブフレーム、または、１つの第１時間ユニットに含まれるシンボル総数により、１つのサブフレーム、または、１つの第１時間ユニット内のＧＰとして使用するシンボル集合を暗示的に決定することができる。１つのサブフレーム、または、１つの第１時間ユニット内のダウンリンク伝送用のシンボル集合及びＧＰとして使用するシンボル集合のみを示す場合、端末は、１つのサブフレーム、または、１つの第１時間ユニットに含まれるシンボル総数により、１つのサブフレーム、または、１つの第１時間ユニット内のアップリンク伝送用のシンボル集合を暗示的に決定することができる。１つのサブフレーム、または、１つの第１時間ユニット内のアップリンク伝送用のシンボル集合及びＧＰとして使用するシンボル集合のみを示す場合、端末は、１つのサブフレーム、または、１つの第１時間ユニットに含まれるシンボル総数により、１つのサブフレーム、または、１つの第１時間ユニット内のダウンリンク伝送用のシンボル集合を暗示的に決定することができる。
【００７１】
他の例として、前記アップリンク伝送リソース及びダウンリンク伝送リソースの割り当て情報は、事前に定義された多種の的ＵＬ/ＤＬ割り当て構成のうちの１種を示すことができる。ここで、ＵＬ/ＤＬ割り当て構成は１つのサブフレームを単位として定義されてもよく、複数のサブフレームを単位として定義されてもよい。１つの第１時間ユニットを単位として定義されてもよく、複数の第１時間ユニットを単位として定義されてもよい。１例において、ＵＬ/ＤＬ割り当て構成は部分的なダウンリンク及び部分的なアップリンク構成であることができ、ここで、異なる構成は、異なるＵＬ/ＤＬ割り当ての割合を有する。他の例において、ＵＬ/ＤＬ割り当て構成は、全ダウンリンク構成、全アップリンク構成、部分的なダウンリンク及び部分的なアップリンクの構成を含むことができる。ここで、部分的なダウンリンク及び部分的なアップリンクの構成は、ダウンリンクを主とする構成（即ち、当該構成において、ダウンリンク部分のシンボル数が多く、アップリンク部分のシンボル数が少ない）、及びアップリンクを主とする構成（即ち、当該構成において、アップリンク部分のシンボル数が多く、ダウンリンク部分のシンボル数が少ない）を含む。部分的なダウンリンク及び部分的なアップリンクの構成の場合、複数の、異なるダウンリンクシンボル数及びアップリンクシンボル数の組み合わせが含まれる構成を事前に定義して、アップリンク伝送リソース及びダウンリンク伝送リソースの割り当て情報は、そのうちの１つを示す。さらに、ダウンリンクを主とする構成、または、アップリンクを主とする構成の場合も、複数の、異なるダウンリンクシンボル数及びアップリンクシンボル数の組み合わせが含まれる構成を事前に定義し、アップリンク伝送リソース及びダウンリンク伝送リソースの割り当て情報は、そのうちの１つを示す。
【００７２】
図３は本発明の実施例に係る端末側でのＵＬ/ＤＬ伝送リソース割り当てを実施するフローチャートであり、当該フローチャートは端末より執行することができる。
【００７３】
図に示すように、当該フローチャートは以下のステップを備える。
【００７４】
ステップ３０１において、第１チャネル送信周期に基づき、前記第１チャネル送信周期内の所定時間・周波数リソースにおいて前記第１チャネルを受信し、前記第１チャネルは、前記第１チャネル送信周期または前記第１チャネルの有効な時間帯におけるアップリンク伝送リソース及びダウンリンク伝送リソースの割り当て情報を通知するのに用いられる。
【００７５】
ＬＴＥシステムに定義された無線フレーム及びサブフレームは、短ＴＴＩ伝送に用いられるが、一部のみのサブフレームが短ＴＴＩ伝送に用いられる可能性もある。短ＴＴＩ伝送に用いられる１サブフレームにおいて、シンボルを粒度とするアップリンク伝送リソース及びダウンリンク伝送リソースの割り当てをサポートする。本実施例において、前記第１チャネル送信周期内に、少なくとも、短ＴＴＩ伝送用のサブフレーム１つが含まれ、アップリンク伝送リソース及びダウンリンク伝送リソースの割り当ては、短ＴＴＩ伝送ためのサブフレームにおいて行われ、第１チャネル送信周期内に短ＴＴＩ伝送に用いられないサブフレームが含まれる場合、アップリンク伝送リソース及びダウンリンク伝送リソースの割り当てには、これらの短ＴＴＩ伝送に用いられないサブフレームをスキープする。
【００７６】
ここで、前記アップリンク伝送リソース及びダウンリンク伝送リソースの割り当て情報は、前記アップリンク伝送リソース及び前記ダウンリンク伝送リソースの周波数領域におけるリソースを示し、前記アップリンク伝送リソース及び前記ダウンリンク伝送リソースの、周波数領域におけるリソース位置は同様であるかまたは異なり、前記リソース位置は、周波数領域において全部または一部のシステム帯域幅を占有する領域である。
【００７７】
さらに、図３に示すフローチャートのステップ３０１の後、下記のステップをさらに備える。
【００７８】
ステップ３０２において、第１チャネル送信周期または前記第１チャネルの有効な時間帯におけるアップリンク伝送リソース及びダウンリンク伝送リソースの割り当てに基づき、データを伝送する。具体的に、アップリンク伝送リソースにおいてアップリンク伝送を行い、ダウンリンク伝送リソースにおいてダウンリンク伝送を行い。
【００７９】
図３に示すフローチャートにおいて、アップリンク伝送リソース及びダウンリンク伝送リソースの割り当て方及び通知方は、上記実施例を参照すればよいため、繰り返して説明しない。
【００８０】
図３に示すフローチャートからわかるように、第１チャネル送信周期に基づき、前記第１チャネル送信周期内の所定時間・周波数リソースにおいて、前記第１チャネルを伝送し、前記第１チャネルは、少なくとも、前記第１チャネル送信周期内、または、第１チャネルの有効な時間帯におけるアップリンク伝送リソース及びダウンリンク伝送リソースの割り当て情報の通知に用いられるため、アップリンク伝送リソース及びダウンリンク伝送リソースの動的な割り当てを実現した。
【００８１】
説明したいのは、本発明に係る実施例には、第１チャネル送信周期中の一部のシンボル（例えば、第１個のシンボル、または、先頭Ｋ１個のシンボル）がいつもダウンリンク伝送に用いられる場合、好ましくは、通知されたアップリンク伝送リソース及びダウンリンク伝送リソースの割り当て情報がいつもダウンリンク伝送に用いられるシンボルを含まないことにより、通知用のシグナリングのビット数をさらに減らすことができる。第１チャネル送信周期内のいつ部のシンボル（例えば、第ａ個のシンボル，例えば、ａ=３、または、４、または、最後１つのシンボル、または、最後Ｋ１個のシンボル）がいつもアップリンク伝送に用いられる場合、好ましくは、通知されたアップリンク伝送リソース及びダウンリンク伝送リソースの割り当て情報がいつもアップリンク伝送に用いられるシンボルを含まないことにより、通知用のシグナリングのビット数をさらに減らすことができる。
【００８２】
本発明に係る実施例を明瞭にするため、以下、具体的に応用シナリオの例を挙げて説明する。
【００８３】
応用シナリオにおいて、第１チャネルの送信周期が２個のサブフレームであることを例とし、即ち、２ｍｓを送信周期とする。
【００８４】
基地局側では、送信第１チャネルの時間領域位置について、当該第１チャネルの送信周期の第１個のシンボル上の特定周波数領域位置（例えば、中間、または、低周波数、または、高周波数領域位置上のＫ２個のＳＣ、または、ＲＥ、または、ＲＵ、または、ダウンリンク伝送帯域幅内のＫ２個のＳＣ、または、ＲＥ、または、ＲＵに分散される）において当該第１チャネルを伝送する。
【００８５】
具体的に、基地局は、現在のアップリンク、ダウンリンクトラフィックにより、１つのサブフレーム内のＵＬ/ＤＬ伝送リソースの割り当てを決定する。ダウンリンクトラフィックが多い場合、ダウンリンク送信のためのシンボルを多く割り当てる。例えば、サブフレーム#０の第１個のシンボルにおいて、当該第１チャネルを送信して、当該送信周期内の各々サブフレーム（即ち、サブフレーム#０及びサブフレーム１）内の第１個のシンボルないし第９個のシンボルがダウンリンク伝送に用いられることを示す。即ちダウンリンク伝送リソースである。各々サブフレーム内の第１０個のシンボル及び第１１個のシンボルはＧＰである。アップリンクトラフィックが多い場合、アップリンク送信のためのシンボルを多く割り当てる。例えば、サブフレーム#２の第１個のシンボルにおいて当該第１チャネルを送信して、当該送信周期内の各々サブフレーム（即ち、サブフレーム#２及びサブフレーム３）内の第１個のシンボルないし第４個のシンボルがダウンリンク伝送に用いられることを示し、即ち、ダウンリンク伝送リソースである。各々サブフレーム内の第５個のシンボル及び６個のシンボルはＧＰである。
【００８６】
端末側では、端末は、上記第１チャネル送信周期において、約定した方法で、当該送信周期内の第１個のシンボル上の特定周波数領域位置（基地局側送信位置と同様）において、当該第１チャネルを受信し、搬送内容を分析して、ＵＬ/ＤＬ伝送リソースの割り当てを決定する。例えば、図４に示すように、端末は、サブフレーム#０内の第１個のシンボルにおいて、当該第１チャネルを受信し、当該送信周期内の各々サブフレーム（即ち、サブフレーム#０及びサブフレーム#１）内の第１個のシンボルないし第９個のシンボルをダウンリンク伝送に用いられることを決定し、即ち、ダウンリンク伝送リソースである。これらのシンボルにおいて、端末はダウンリンク伝送のみを行い、各々サブフレーム内の第１０個のシンボル及び１１個のシンボルをＧＰとして決定し、かつ、現在システムの構成によりノーマルCＰとし、１つのサブフレームに１４個のシンボルが含まれることを決定し、さらに、各々サブフレーム内の第１２個のシンボルないし１４個のシンボルがアップリンク伝送に用いられることを決定し、即ち、アップリンク伝送リソースである。これらのシンボルにおいて、端末は、アップリンク伝送のみを行い、端末はサブフレーム#０及びサブフレーム#１において、上記アップリンク伝送リソース及びダウンリンク伝送リソースの割り当てにより、アップリンク、ダウンリンクトラフィックを伝送する。端末は、サブフレーム#２において、当該第１チャネルを再度受信し、当該送信周期内の各々サブフレーム（即ち、サブフレーム#２及び３）における第１個のシンボルないし第４個のシンボルがダウンリンク伝送に用いられることを決定し、即ち、ダウンリンク伝送リソースである。これらのシンボルにおいて、端末はダウンリンク伝送のみを行い、各々サブフレーム内の第５個のシンボル及び第６個のシンボルをＧＰとして決定し、かつ、現在システムにより、ノーマルCＰとし、１つのサブフレームに１４個のシンボルが含まれることを決定し、さらに、各々サブフレーム内の第７個のシンボルないし１４個のシンボルがアップリンク伝送に用いられることを決定し、即ち、アップリンク伝送リソースである。これらのシンボルにおいて、端末はアップリンク伝送のみを行い、端末は、サブフレーム#２及びサブフレーム#３において、アップリンク伝送リソース及びダウンリンク伝送リソースの割り当てにより、アップリンク、ダウンリンクトラフィックを伝送し、このように類推する。
【００８７】
さらに、第１チャネルの有効な時間帯を事前に設定すれば、例えば、第１チャネル送信が行われるサブフレームの先頭の４個のサブフレームを有効な時間帯として設定し、即ち、１つの第１チャネルにより指示するアップリンクリソース及びダウンリンクリソース割り当ては、４個のサブフレームに対して有効である。上記過程において、相違しているところは、基地局側がトラフィック要求に応じて１つのサブフレーム内のアップリンクリソース及びダウンリンクリソースを割り当てることになる。好ましくは、１つの第１チャネルの動作時間が４個のサブフレームであるため、基地局は、サブフレーム０及びサブフレーム２において送信する第１チャネルの内容は同様である。基地局は、サブフレーム４において、トラフィック仁応じて、第１チャネルの設定情報を更新して、異なるＵＬ/ＤＬリソースの割り当てを指示する。端末側では、端末がサブフレーム０において第１チャネルを受信する場合、設定情報によりサブフレーム０、１、２、３内のアップリンクリソース及びダウンリンクリソース割り当てを取得することができるため、サブフレーム２において第１チャネルを受信する必要がなくなる。有効な周期にしたがって、サブフレーム４において、第１チャネルを再度受信する。こうして、端末側の情報受信を減らし、電力を節約する。
【００８８】
同様な技術思想に基づき、本発明に係る実施例は基地局をさらに提供する。当該基地局は、上記実施例に係るネットワーク側のＵＬ/ＤＬリソース割り当てフローチャートを実施する。
【００８９】
図５は本発明の実施例に係る基地局の構成図である。当該基地局は、送信モジュール５０２と、割り当てモジュール５０１とを備える。さらに、伝送モジュール５０３を備える。
【００９０】
前記割り当てモジュール５０１は、現在アップリンクトラフィック及びダウンリンクトラフィックに基づき、前記第１チャネル送信周期または前記第１チャネルの有効な時間帯におけるアップリンク伝送リソース及びダウンリンク伝送リソースを割り当てる。
【００９１】
前記送信モジュール５０２は、第１チャネル送信周期に基づき、前記第１チャネル送信周期内の所定時間・周波数リソースにおいて前記第１チャネルを伝送（ここの伝送は送信である）する。前記第１チャネルは、前記第１チャネル送信周期または前記第１チャネルの有効な時間帯におけるアップリンク伝送リソース及びダウンリンク伝送リソースの割り当て情報を通知するのに用いられる。
【００９２】
前記伝送モジュール５０３は、第１チャネル送信周期または前記第１チャネルの有効な時間帯におけるアップリンク伝送リソース及びダウンリンク伝送リソースの割り当てに基づき、データを伝送する。
【００９３】
好ましくは、前記第１チャネル送信周期は、事前に設定されるか事前に約定され、長さは、Ｎ１個のサブフレーム、または、Ｎ２個のシンボル、または、Ｎ３個のスロット、または、Ｎ４個の第１時間ユニット、または、Ｎ５個のマイクロスロットであり、ここで、Ｎ１、Ｎ２、Ｎ３、Ｎ４及びＮ５は１より大きいか等しい整数であり、前記第１時間ユニットの長さは、Ｂ１個のサブフレーム、または、Ｂ２個のシンボル、または、Ｂ３個のスロット、または、Ｂ４個のマイクロスロットに事前に定義され、Ｂ１、Ｂ２、Ｂ３及びＢ４は１より大きいか等しい整数である。及び/または、前記第１チャネルの有効な時間帯は事前に設定されるか、または事前に約定されたものであり、長さは、Ｍ１個のサブフレーム、または、Ｍ２個のシンボル、または、Ｍ３個のスロット、または、Ｍ４個の第１時間ユニット、または、Ｍ５個のマイクロスロットであり、ここで、Ｍ１、Ｍ２、Ｍ３、Ｍ４及びＭ５は１より大きいか等しい整数であり、前記第１時間ユニットの長さは、Ｂ１個のサブフレーム、または、Ｂ２個のシンボル、または、Ｂ３個のスロット、または、Ｂ４個のマイクロスロットに事前に定義され、Ｂ１、Ｂ２、Ｂ３及びＢ４は１より大きいか等しい整数である。
【００９４】
好ましくは、前記所定時間・周波数リソースは、時間領域において前記第１チャネル送信周期内の第１個、または、先頭Ｋ１個のシンボルに位置し、Ｋ１は１より大きいか等しい整数である。
【００９５】
好ましくは、前記所定時間・周波数リソースは、周波数領域において、設定されたＫ２個のサブキャリアＳＣ、または、リソース・エレメントＲＥ、または、リソース・ユニットＲＵに位置し、Ｋ２は１より大きいか等しい整数である。ここで、前記ＲＵは、時間領域においてＸ１個のシンボルを占有し、周波数領域においてＸ２個のＳＣまたはＸ２個のＲＥを占有し、または、ＲＥは周波数領域において連続的であるかまたは非連Ｍ２個続的であり、Ｘ１及びＸ２は１より大きいか等しい整数である。
【００９６】
好ましくは、前記所定時間・周波数リソースは、周波数領域において連続的であるか、または、前記所定時間・周波数リソースは、周波数領域において所定のルールに従ってシステム帯域幅に分散され、または、ダウンリンク伝送に対応する帯域幅に分散される。
【００９７】
ここで、前記所定時間・周波数リソースは、周波数領域において、所定粒度で前記帯域幅に分布され、または、前記所定時間・周波数リソースは、周波数領域において前記帯域幅の最大周波数、または、最小周波数、または、中央周波数領域位置に分布される。
【００９８】
好ましくは、前記第１チャネルは、前記第１チャネル送信周期または前記第１チャネルの有効な時間帯におけるアップリンク伝送リソース及びダウンリンク伝送リソースの割り当て情報を通知するのに用いられるのは、具体的に、前記第１チャネルは、少なくとも、前記第１チャネル送信周期内、または、前記第１チャネルの有効な時間帯内の各々サブフレームにおけるアップリンク伝送リソース及びダウンリンク伝送リソースの割り当て情報の通知に用いられる。または、前記第１チャネルは、少なくとも、前記第１チャネル送信周期内、または、前記第１チャネルの有効な時間帯内の各々第１時間ユニットにおけるアップリンク伝送リソース及びダウンリンク伝送リソースの割り当て情報の通知に用いられる。ここで、前記第１時間ユニットの長さは、Ｂ１個のサブフレーム、または、Ｂ２個のシンボル、または、Ｂ３個のスロット、または、Ｂ４個のマイクロスロットに事前に定義され、Ｂ１、Ｂ２、Ｂ３及びＢ４は１より大きいか等しい整数である。
【００９９】
ここで、前記第１チャネル送信周期内、または、前記第１チャネルの有効な時間帯内の各々第１時間ユニットにおけるアップリンク伝送リソース及びダウンリンク伝送リソースの割り当ては同様であり、または、前記第１チャネル送信周期内、または、前記第１チャネルの有効な時間帯内の各々第１時間ユニットにおけるアップリンク伝送リソース及びダウンリンク伝送リソースの割り当てはそれぞれ異なる。または、前記第１チャネル送信周期内、または、前記第１チャネルの有効な時間帯内の一部の第１時間ユニットにおけるアップリンク伝送リソース及びダウンリンク伝送リソースの割り当ては同様であり、一部の第１時間ユニットにおけるアップリンク伝送リソース及びダウンリンク伝送リソースの割り当ては異なる。
【０１００】
好ましくは、前記アップリンク伝送リソース及びダウンリンク伝送リソースの割り当て情報は、アップリンク伝送用のシンボルと、ダウンリンク伝送用のシンボルと、ＧＰとして使用するシンボルとのうちの少なくとも２種を示す。または、前記アップリンク伝送リソース及びダウンリンク伝送リソースの割り当て情報は、事前に定義された複数のＵＬ/ＤＬ割り当て構成のうちの１種を示す。
【０１０１】
好ましくは、前記アップリンク伝送リソース及びダウンリンク伝送リソースの割り当て情報は、前記アップリンク伝送リソース及び前記ダウンリンク伝送リソースの、周波数領域におけるリソース位置を示す。前記アップリンク伝送リソース及び前記ダウンリンク伝送リソースの、周波数領域におけるリソース位置は同様であるかまたは異なり、前記リソース位置は、周波数領域において全部または一部のシステム帯域幅を占有する領域である。
【０１０２】
同様な技術思想に基づき、本発明に係る実施例は端末をさらに提供する。当該端末は、上記実施例に係る端末側のＵＬ/ＤＬリソース割り当てフローチャートを実施する。
【０１０３】
図６は本発明の実施例に係る端末の構成図である。当該端末は、受信モジュール６０１を備え、さらに、伝送モジュール６０２も備える。
【０１０４】
前記受信モジュール６０１は、第１チャネル送信周期に基づき、前記第１チャネル送信周期内の所定時間・周波数リソースにおいて前記第１チャネルを受信する。前記第１チャネルは、前記第１チャネル送信周期または前記第１チャネルの有効な時間帯におけるアップリンク伝送リソース及びダウンリンク伝送リソースの割り当て情報を通知するのに用いられる。
【０１０５】
前記伝送モジュール６０２は、第１チャネル送信周期または前記第１チャネルの有効な時間帯におけるアップリンク伝送リソース及びダウンリンク伝送リソースの割り当てに基づき、データを伝送する。
【０１０６】
好ましくは、前記第１チャネル送信周期は、事前に設定されるか事前に約定され、長さは、Ｎ１個のサブフレーム、または、Ｎ２個のシンボル、または、Ｎ３個のスロット、または、Ｎ４個の第１時間ユニット、または、Ｎ５個のマイクロスロットであり、ここで、Ｎ１、Ｎ２、３、Ｎ４及びＮ５は１より大きいか等しい整数である。前記第１時間ユニットの長さは、Ｂ１個のサブフレーム、または、Ｂ２個のシンボル、または、Ｂ３個のスロット、または、Ｂ４個のマイクロスロットに事前に定義され、Ｂ１、Ｂ２、Ｂ３及びＢ４は１より大きいか等しい整数である。及び/または、前記第１チャネルの有効な時間帯は事前に設定されるか、または事前に約定されたものである。長さは、Ｍ１個のサブフレーム、または、Ｍ２個のシンボル、または、Ｍ３個のスロット、または、Ｍ４個の第１時間ユニット、または、Ｍ５個のマイクロスロットである。ここで、Ｍ１、Ｍ２、Ｍ３、Ｍ４及びＭ５は１より大きいか等しい整数である。前記第１時間ユニットの長さは、Ｂ１個のサブフレーム、または、Ｂ２個のシンボル、または、Ｂ３個のスロット、または、Ｂ４個のマイクロスロットに事前に定義され、Ｂ１、Ｂ２、Ｂ３及びＢ４は１より大きいか等しい整数である。
【０１０７】
好ましくは、前記所定時間・周波数リソースは、時間領域において前記第１チャネル送信周期内の第１個、または、先頭Ｋ１個のシンボルに位置し、Ｋ１は１より大きいか等しい整数である。
【０１０８】
好ましくは、前記所定時間・周波数リソースは、周波数領域において、設定されたＫ２個のサブキャリアＳＣ、または、リソース・エレメントＲＥ、または、リソース・ユニットＲＵに位置し、Ｋ２は１より大きいか等しい整数である；ここで、前記ＲＵは、時間領域においてＸ１個のシンボルを占有し、周波数領域においてＸ２個のＳＣまたはＸ２個のＲＥを占有し、または、ＲＥは周波数領域において連続的であるかまたは非連Ｍ２個続的であり、Ｘ１及びＸ２は１より大きいか等しい整数である。
【０１０９】
好ましくは、前記所定時間・周波数リソースは、周波数領域において連続的であるか、または、前記所定時間・周波数リソースは、周波数領域において所定のルールに従ってシステム帯域幅に分散され、または、ダウンリンク伝送に対応する帯域幅に分散される。
【０１１０】
ここで、前記所定時間・周波数リソースは、周波数領域において、所定粒度で前記帯域幅に分布され、または、前記所定時間・周波数リソースは、周波数領域において前記帯域幅の最大周波数、または、最小周波数、または、中央周波数領域位置に分布される。
【０１１１】
好ましくは、前記第１チャネルは、前記第１チャネル送信周期または前記第１チャネルの有効な時間帯におけるアップリンク伝送リソース及びダウンリンク伝送リソースの割り当て情報を通知するのに用いられるのは、具体的に、前記第１チャネルは、少なくとも、前記第１チャネル送信周期内、または、前記第１チャネルの有効な時間帯内の各々サブフレームにおけるアップリンク伝送リソース及びダウンリンク伝送リソースの割り当て情報の通知に用いられる。または、前記第１チャネルは、少なくとも、前記第１チャネル送信周期内、または、前記第１チャネルの有効な時間帯内の各々第１時間ユニットにおけるアップリンク伝送リソース及びダウンリンク伝送リソースの割り当て情報の通知に用いられる。ここで、前記第１時間ユニットの長さは、Ｂ１個のサブフレーム、または、Ｂ２個のシンボル、または、Ｂ３個のスロット、または、Ｂ４個のマイクロスロットに事前に定義され、Ｂ１、Ｂ２、Ｂ３及びＢ４は１より大きいか等しい整数である。
【０１１２】
ここで、前記第１チャネル送信周期内、または、前記第１チャネルの有効な時間帯内の各々第１時間ユニットにおけるアップリンク伝送リソース及びダウンリンク伝送リソースの割り当ては同様であり、または、前記第１チャネル送信周期内、または、前記第１チャネルの有効な時間帯内の各々第１時間ユニットにおけるアップリンク伝送リソース及びダウンリンク伝送リソースの割り当てはそれぞれ異なる。または、前記第１チャネル送信周期内、または、前記第１チャネルの有効な時間帯内の一部の第１時間ユニットにおけるアップリンク伝送リソース及びダウンリンク伝送リソースの割り当ては同様であり、一部の第１時間ユニットにおけるアップリンク伝送リソース及びダウンリンク伝送リソースの割り当ては異なる。
【０１１３】
好ましくは、前記アップリンク伝送リソース及びダウンリンク伝送リソースの割り当て情報は、アップリンク伝送用のシンボルと、ダウンリンク伝送用のシンボルと、ＧＰとして使用するシンボルとのうちの少なくとも２種を示す。または、前記アップリンク伝送リソース及びダウンリンク伝送リソースの割り当て情報は、事前に定義された複数のＵＬ/ＤＬ割り当て構成のうちの１種を示す。
【０１１４】
好ましくは、前記アップリンク伝送リソース及びダウンリンク伝送リソースの割り当て情報は、前記アップリンク伝送リソース及び前記ダウンリンク伝送リソースの、周波数領域におけるリソース位置を示す。前記アップリンク伝送リソース及び前記ダウンリンク伝送リソースの、周波数領域におけるリソース位置は同様であるかまたは異なり、前記リソース位置は、周波数領域において全部または一部のシステム帯域幅を占有する領域である。
【０１１５】
同様な技術思想に基づき、本発明に係る実施例は基地局をさらに提供する。当該基地局は、上記実施例に係るネットワーク側でのＵＬ/ＤＬリソース割り当てフローチャートを実施する。
【０１１６】
図７は本発明の実施例に係る基地局の構成図である。図に示すように、当該基地局は、プロセッサ７０１と、メモリ７０２と、送受信機７０３と、バスインタフェースとを備える。
【０１１７】
前記プロセッサ７０１は、バズアーキテクチャ及び通常の処理を監視し、メモリ７０２はプロセッサ７０１が動作する際に利用するデータを記憶することができる。送受信機７０３はプロセッサ７０１の制御によりデータを送受信する。
【０１１８】
バスアーキテクチャは、いずれ数の相互接続するバス及びブリッジを備える。具体的に、プロセッサ７０１が代表となる１つまたは複数のプロセッサ及びメモリ７０２が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインタフェースはインタフェースを提供する。プロセッサ７０１は、バズアーキテクチャ及び通常の処理を監視し、メモリ７０２はプロセッサ７０１が動作する際に利用するデータを記憶することができる。
【０１１９】
本発明に係る実施例により開示したフローチャートは、プロセッサ７０１に適用することができるか、または、プロセッサ７０１実現の間、信号処理フローチャートにおける各々ステップは、プロセッサ７０１内のハードウェアの論理集積回路またはソフトウェア形式の指令により完成されることができる。プロセッサ７０１プロセッサ１１０１は、汎用プロセッサ、デジタル信号プロセッサ、専用集積回路、フィールドプログラマブル・ゲートアレイまたはたのプログラマブルロジック・デバイス、ディスクリート・ゲートまたはトランジスタロジック・デバイス 、ディスクリート・ハードウェアコンポネントであることができ、本発明に係る実施例により開示した各々方法、ステップ及びロジックブロック図を実現・執行することができる。汎用プロセッサはマイクロプロセッサまたはいずれのノーマルプロセッサなどであることができる。本発明に係る実施例に開示された方法のステップを参照すれば、ハードウェアプロセッサにより直接に執行して完成するか、または、プロセッサ内のハードウェア及びソフトウェアモジュールの組み合わせにより執行されて完成することができる。ソフトウェアモジュールは、ランダムメモリ、フラッシュメモリ、リードオンリーメモリ，プログラマブルリードオンリーメモリまたは電気的消去可能プログラマブルメモリ、レジスタなど本分野のよく知られる記憶媒体に格納されることができる。当該記憶媒体はメモリ７０２に位置し、プロセッサ７０１は、メモリ７０２に格納される情報を読み出して、そのハードウェアと協働して信号処理フローチャートステップを完成する。
【０１２０】
具体地に、プロセッサ７０１は、メモリ７０２に格納されたプログラムを読み出して、第１チャネル送信周期に基づき、前記第１チャネル送信周期内の所定時間・周波数リソースにおいて、前記第１チャネルを伝送（ここでの伝送は送信である）する。前記第１チャネルは、前記第１チャネル送信周期または前記第１チャネルの有効な時間帯におけるアップリンク伝送リソース及びダウンリンク伝送リソースの割り当て情報を通知するのに用いられる。
【０１２１】
好ましくは、前記第１チャネル送信周期は、事前に設定されるか事前に約定され、長さは、Ｎ１個のサブフレーム、または、Ｎ２個のシンボル、または、Ｎ３個のスロット、または、Ｎ４個の第１時間ユニット、または、Ｎ５個のマイクロスロットであり、ここで、Ｎ１、Ｎ２、Ｎ３、Ｎ４及びＮ５は１より大きいか等しい整数であり、前記第１時間ユニットの長さは、Ｂ１個のサブフレーム、または、Ｂ２個のシンボル、または、Ｂ３個のスロット、または、Ｂ４個のマイクロスロットに事前に定義され、Ｂ１、Ｂ２、Ｂ３及びＢ４は１より大きいか等しい整数である。及び/または、前記第１チャネルの有効な時間帯は事前に設定されるか、または事前に約定されたものであり、長さは、Ｍ１個のサブフレーム、または、Ｍ２個のシンボル、または、Ｍ３個のスロット、または、Ｍ４個の第１時間ユニット、または、Ｍ５個のマイクロスロットであり、ここで、Ｍ１、Ｍ２、Ｍ３、Ｍ４及びＭ５は１より大きいか等しい整数であり、前記第１時間ユニットの長さは、Ｂ１個のサブフレーム、または、Ｂ２個のシンボル、または、Ｂ３個のスロット、または、Ｂ４個のマイクロスロットに事前に定義され、Ｂ１、Ｂ２、Ｂ３及びＢ４は１より大きいか等しい整数である。
【０１２２】
好ましくは、前記所定時間・周波数リソースは、時間領域において前記第１チャネル送信周期内の第１個、または、先頭Ｋ１個のシンボルに位置し、Ｋ１は１より大きいか等しい整数である。
【０１２３】
好ましくは、前記所定時間・周波数リソースは、周波数領域において、設定されたＫ２個のサブキャリアＳＣ、または、リソース・エレメントＲＥ、または、リソース・ユニットＲＵに位置し、Ｋ２は１より大きいか等しい整数である。ここで、前記ＲＵは、時間領域においてＸ１個のシンボルを占有し、周波数領域においてＸ２個のＳＣまたはＸ２個のＲＥを占有し、または、ＲＥは周波数領域において連続的であるかまたは非連Ｍ２個続的であり、Ｘ１及びＸ２は１より大きいか等しい整数である。
【０１２４】
好ましくは、前記所定時間・周波数リソースは、周波数領域において連続的であるか、または、前記所定時間・周波数リソースは、周波数領域において所定のルールに従ってシステム帯域幅に分散され、または、ダウンリンク伝送に対応する帯域幅に分散される。
【０１２５】
ここで、前記所定時間・周波数リソースは、周波数領域において、所定粒度で前記帯域幅に分布され、または、前記所定時間・周波数リソースは、周波数領域において前記帯域幅の最大周波数、または、最小周波数、または、中央周波数領域位置に分布される。
【０１２６】
好ましくは、前記第１チャネルは、前記第１チャネル送信周期または前記第１チャネルの有効な時間帯におけるアップリンク伝送リソース及びダウンリンク伝送リソースの割り当て情報を通知するのに用いられるのは、具体的に、前記第１チャネルは、少なくとも、前記第１チャネル送信周期内、または、前記第１チャネルの有効な時間帯内の各々サブフレームにおけるアップリンク伝送リソース及びダウンリンク伝送リソースの割り当て情報の通知に用いられる。または、前記第１チャネルは、少なくとも、前記第１チャネル送信周期内、または、前記第１チャネルの有効な時間帯内の各々第１時間ユニットにおけるアップリンク伝送リソース及びダウンリンク伝送リソースの割り当て情報の通知に用いられる。ここで、前記第１時間ユニットの長さは、Ｂ１個のサブフレーム、または、Ｂ２個のシンボル、または、Ｂ３個のスロット、または、Ｂ４個のマイクロスロットに事前に定義され、Ｂ１、Ｂ２、Ｂ３及びＢ４は１より大きいか等しい整数である。
【０１２７】
ここで、前記第１チャネル送信周期内、または、前記第１チャネルの有効な時間帯内の各々第１時間ユニットにおけるアップリンク伝送リソース及びダウンリンク伝送リソースの割り当ては同様であり、または、前記第１チャネル送信周期内、または、前記第１チャネルの有効な時間帯内の各々第１時間ユニットにおけるアップリンク伝送リソース及びダウンリンク伝送リソースの割り当てはそれぞれ異なる。または、前記第１チャネル送信周期内、または、前記第１チャネルの有効な時間帯内の一部の第１時間ユニットにおけるアップリンク伝送リソース及びダウンリンク伝送リソースの割り当ては同様であり、一部の第１時間ユニットにおけるアップリンク伝送リソース及びダウンリンク伝送リソースの割り当ては異なる。
【０１２８】
好ましくは、前記アップリンク伝送リソース及びダウンリンク伝送リソースの割り当て情報は、アップリンク伝送用のシンボルと、ダウンリンク伝送用のシンボルと、ＧＰとして使用するシンボルとのうちの少なくとも２種を示す。または、前記アップリンク伝送リソース及びダウンリンク伝送リソースの割り当て情報は、事前に定義された複数のＵＬ/ＤＬ割り当て構成のうちの１種を示す。
【０１２９】
好ましくは、前記アップリンク伝送リソース及びダウンリンク伝送リソースの割り当て情報は、前記アップリンク伝送リソース及び前記ダウンリンク伝送リソースの、周波数領域におけるリソース位置を示す。前記アップリンク伝送リソース及び前記ダウンリンク伝送リソースの、周波数領域におけるリソース位置は同様であるかまたは異なり、前記リソース位置は、周波数領域において全部または一部のシステム帯域幅を占有する領域である。
【０１３０】
好ましくは、プロセッサ７０１は、前記第１チャネル送信周期により、前記第１チャネル送信周期内の所定時間・周波数リソースにおいて前記第１チャネルを伝送する前、現在アップリンクトラフィック及びダウンリンクトラフィックに基づき、前記第１チャネル送信周期または前記第１チャネルの有効な時間帯におけるアップリンク伝送リソース及びダウンリンク伝送リソースを割り当てる。
【０１３１】
同様な技術思想に基づき、本発明に係る実施例は端末をさらに提供し、前記端末は、上記実施例に係る端末側でのＵＬ/ＤＬリソース割り当てフローチャートを執行する。
【０１３２】
図８は本発明の実施例に係る端末の構成図である。図に示すように、当該端末は、プロセッサ８０１と、メモリ８０２と、送受信機８０３と、バスインタフェースとを備える。
【０１３３】
前記プロセッサ８０１は、バズアーキテクチャ及び通常の処理を監視し、メモリ８０２はプロセッサ８０１が動作する際に利用するデータを記憶することができる。送受信機８０３は、プロセッサ８０１の制御によりデータを送受信する。
【０１３４】
バスアーキテクチャは、いずれ数の相互接続するバス及びブリッジを備える。具体的に、プロセッサ８０１が代表となる１つまたは複数のプロセッサ及びメモリ８０２が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインタフェースはインタフェースを提供する。プロセッサ８０１は、バズアーキテクチャ及び通常の処理を監視し、メモリ８０２はプロセッサ８０１が動作する際に利用するデータを記憶することができる。
【０１３５】
本発明に係る実施例により開示したフローチャートは、プロセッサ８０１に適用することができるか、または、プロセッサ８０１実現の間、信号処理フローチャートにおける各々ステップは、プロセッサ８０１内のハードウェアの論理集積回路またはソフトウェア形式の指令により完成されることができる。プロセッサ８０１プロセッサ１１０１は、汎用プロセッサ、デジタル信号プロセッサ、専用集積回路、フィールドプログラマブル・ゲートアレイまたはたのプログラマブルロジック・デバイス、ディスクリート・ゲートまたはトランジスタロジック・デバイス 、ディスクリート・ハードウェアコンポネントであることができ、本発明に係る実施例により開示した各々方法、ステップ及びロジックブロック図を実現・執行することができる。汎用プロセッサはマイクロプロセッサまたはいずれのノーマルプロセッサなどであることができる。本発明に係る実施例に開示された方法のステップを参照すれば、ハードウェアプロセッサにより直接に執行して完成するか、または、プロセッサ内のハードウェア及びソフトウェアモジュールの組み合わせにより執行されて完成することができる。ソフトウェアモジュールは、ランダムメモリ、フラッシュメモリ、リードオンリーメモリ，プログラマブルリードオンリーメモリまたは電気的消去可能プログラマブルメモリ、レジスタなど本分野のよく知られる記憶媒体に格納されることができる。当該記憶媒体はメモリ８０２に位置し、プロセッサ８０１は、メモリ８０２に格納される情報を読み出して、そのハードウェアと協働して信号処理フローチャートステップを完成する。
【０１３６】
具体地に、前記プロセッサ８０１は、メモリ８０２に格納されたプログラムを読み出して、第１チャネル送信周期に基づき、前記第１チャネル送信周期内の所定時間・周波数リソースにおいて前記第１チャネルを受信し、前記第１チャネルは、前記第１チャネル送信周期または前記第１チャネルの有効な時間帯におけるアップリンク伝送リソース及びダウンリンク伝送リソースの割り当て情報を通知するのに用いられる。
【０１３７】
好ましくは、前記第１チャネル送信周期は、事前に設定されるか事前に約定され、長さは、Ｎ１個のサブフレーム、または、Ｎ２個のシンボル、または、Ｎ３個のスロット、または、Ｎ４個の第１時間ユニット、または、Ｎ５個のマイクロスロットであり、ここで、Ｎ１、Ｎ２、Ｎ３、Ｎ４及びＮ５は１より大きいか等しい整数であり、前記第１時間ユニットの長さは、Ｂ１個のサブフレーム、または、Ｂ２個のシンボル、または、Ｂ３個のスロット、または、Ｂ４個のマイクロスロットに事前に定義され、Ｂ１、Ｂ２、Ｂ３及びＢ４は１より大きいか等しい整数である。及び/または、前記第１チャネルの有効な時間帯は事前に設定されるか、または事前に約定されたものであり、長さは、Ｍ１個のサブフレーム、または、Ｍ２個のシンボル、または、Ｍ３個のスロット、または、Ｍ４個の第１時間ユニット、または、Ｍ５個のマイクロスロットであり、ここで、Ｍ１、Ｍ２、Ｍ３、Ｍ４及びＭ５は１より大きいか等しい整数であり、前記第１時間ユニットの長さは、Ｂ１個のサブフレーム、または、Ｂ２個のシンボル、または、Ｂ３個のスロット、または、Ｂ４個のマイクロスロットに事前に定義され、Ｂ１、Ｂ２、Ｂ３及びＢ４は１より大きいか等しい整数である。
【０１３８】
好ましくは、前記所定時間・周波数リソースは、時間領域において前記第１チャネル送信周期内の第１個、または、先頭Ｋ１個のシンボルに位置し、Ｋ１は１より大きいか等しい整数である。
【０１３９】
好ましくは、前記所定時間・周波数リソースは、周波数領域において、設定されたＫ２個のサブキャリアＳＣ、または、リソース・エレメントＲＥ、または、リソース・ユニットＲＵに位置し、Ｋ２は１より大きいか等しい整数である。ここで、前記ＲＵは、時間領域においてＸ１個のシンボルを占有し、周波数領域においてＸ２個のＳＣまたはＸ２個のＲＥを占有し、または、ＲＥは周波数領域において連続的であるかまたは非連Ｍ２個続的であり、Ｘ１及びＸ２は１より大きいか等しい整数である。
【０１４０】
好ましくは、前記所定時間・周波数リソースは、周波数領域において連続的であるか、または、前記所定時間・周波数リソースは、周波数領域において所定のルールに従ってシステム帯域幅に分散され、または、ダウンリンク伝送に対応する帯域幅に分散される。
【０１４１】
ここで、前記所定時間・周波数リソースは、周波数領域において、所定粒度で前記帯域幅に分布され、または、前記所定時間・周波数リソースは、周波数領域において前記帯域幅の最大周波数、または、最小周波数、または、中央周波数領域位置に分布される。
【０１４２】
好ましくは、前記第１チャネルは、前記第１チャネル送信周期または前記第１チャネルの有効な時間帯におけるアップリンク伝送リソース及びダウンリンク伝送リソースの割り当て情報を通知するのに用いられるのは、具体的に、前記第１チャネルは、少なくとも、前記第１チャネル送信周期内、または、前記第１チャネルの有効な時間帯内の各々サブフレームにおけるアップリンク伝送リソース及びダウンリンク伝送リソースの割り当て情報の通知に用いられる。
【０１４３】
または、前記第１チャネルは、少なくとも、前記第１チャネル送信周期内、または、前記第１チャネルの有効な時間帯内の各々第１時間ユニットにおけるアップリンク伝送リソース及びダウンリンク伝送リソースの割り当て情報の通知に用いられ、ここで、前記第１時間ユニットの長さは、Ｂ１個のサブフレーム、または、Ｂ２個のシンボル、または、Ｂ３個のスロット、または、Ｂ４個のマイクロスロットに事前に定義され、Ｂ１、Ｂ２、Ｂ３及びＢ４は１より大きいか等しい整数である。
【０１４４】
ここで、前記第１チャネル送信周期内、または、前記第１チャネルの有効な時間帯内の各々第１時間ユニットにおけるアップリンク伝送リソース及びダウンリンク伝送リソースの割り当ては同様である。
【０１４５】
または、前記第１チャネル送信周期内、または、前記第１チャネルの有効な時間帯内の各々第１時間ユニットにおけるアップリンク伝送リソース及びダウンリンク伝送リソースの割り当てはそれぞれ異なる。
【０１４６】
または、前記第１チャネル送信周期内、または、前記第１チャネルの有効な時間帯内の一部の第１時間ユニットにおけるアップリンク伝送リソース及びダウンリンク伝送リソースの割り当ては同様であり、一部の第１時間ユニットにおけるアップリンク伝送リソース及びダウンリンク伝送リソースの割り当ては異なる。
【０１４７】
好ましくは、前記アップリンク伝送リソース及びダウンリンク伝送リソースの割り当て情報は、アップリンク伝送用のシンボルと、ダウンリンク伝送用のシンボルと、ＧＰとして使用するシンボルとのうちの少なくとも２種を示す。または、前記アップリンク伝送リソース及びダウンリンク伝送リソースの割り当て情報は、事前に定義された複数のＵＬ/ＤＬ割り当て構成のうちの１種を示す。
【０１４８】
好ましくは、前記アップリンク伝送リソース及びダウンリンク伝送リソースの割り当て情報は、前記アップリンク伝送リソース及び前記ダウンリンク伝送リソースの、周波数領域におけるリソース位置を示す。前記アップリンク伝送リソース及び前記ダウンリンク伝送リソースの、周波数領域におけるリソース位置は同様であるかまたは異なり、前記リソース位置は、周波数領域において全部または一部のシステム帯域幅を占有する領域である。
【０１４９】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム指令を実行し、フロー図における一つ或いは複数のフローおよび／またはブロック図における一つ或いは複数のブロックに指定する機能を実現する。  
【０１５０】
これらのコンピュータプログラム指令は又、コンピュータ或いは他のプログラム可能なデータ処理装置を特定方式で動作させるコンピュータ読取記憶装置に記憶できる。これによって、指令を含む装置は当該コンピュータ読取記憶装置内の指令を実行でき、フロー図における一つ或いは複数のフローおよび／またはブロック図における一つ或いは複数のブロックに指定する機能を実現する。
【０１５１】
これらコンピュータプログラム指令はさらに、コンピュータ或いは他のプログラム可能なデータ処理装置設備に実装もできる。コンピュータプログラム指令が実装されたコンピュータ或いは他のプログラム可能設備は、一連の操作ステップを実行することによって、関連の処理を実現し、コンピュータ或いは他のプログラム可能な設備において実行される指令によって、フロー図における一つ或いは複数のフローおよび／またはブロック図における一つ或いは複数のブロックに指定する機能を実現する。  
【０１５２】
上述した実施形態に記述された技術的な解決手段を改造し、或いはその中の一部の技術要素を置換することもできる。そのような、改造と置換は本発明の各実施形態の技術の範囲から逸脱するとは見なされない。
【０１５３】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
【０１５４】
本出願は、２０１６年２月３日に中国特許局に提出し、出願番号が２０１６１００７７３３４.８であり、発明名称が「ＵＬ/ＤＬ伝送リソースの割り当て方法及び装置」との中国特許出願を基礎とする優先権、及び２０１６年１２月３０日に中国特許局に提出し、出願番号が２０１６１１２７０９６３．９であり、発明名称が「ＵＬ/ＤＬ伝送リソースの割り当て方法及び装置」との中国特許出願を基礎とする優先権を主張し、その開示の総てをここに取り込む。
【符号の説明】
【０１５５】
５０１  割り当てモジュール
５０２  送信モジュール
５０３  伝送モジュール
６０１  受信モジュール
６０２  伝送モジュール
７０１  プロセッサ
７０２  メモリ
７０３  送受信機
８０１  プロセッサ
８０２  メモリ
８０３  送受信機
【図１】
2019506085.tif 000004
【図２】
2019506085.tif 000005
【図３】
2019506085.tif 000006
【図４】
2019506085.tif 000007
【図５】
2019506085.tif 000008
【図６】
2019506085.tif 000009
【図７】
2019506085.tif 000010
【図８】
2019506085.tif 000011
【手続補正書】
【提出日】平成30年8月3日(2018.8.3)
【手続補正１】
【補正対象書類名】特許請求の範囲
【補正対象項目名】全文
【補正方法】変更
【補正の内容】
【特許請求の範囲】
【請求項１】
第１チャネル送信周期に基づき、前記第１チャネル送信周期内の所定時間・周波数リソースにおいて、前記第１チャネルを伝送し、前記第１チャネルは、前記第１チャネル送信周期または前記第１チャネルの有効な時間帯におけるアップリンク伝送リソース及びダウンリンク伝送リソースの割り当て情報を通知するのに用いられることを特徴とするＵＬ/ＤＬ伝送リソースの割り当て方法。
【請求項２】
前記第１チャネル送信周期は、事前に設定されるか事前に約定され、長さは、Ｎ１個のサブフレーム、または、Ｎ２個のシンボル、または、Ｎ３個のスロット、または、Ｎ４個の第１時間ユニット、または、Ｎ５個のマイクロスロットであり、ここで、Ｎ１、Ｎ２、Ｎ３、Ｎ４及びＮ５は１より大きいか等しい整数であり、前記第１時間ユニットの長さは、Ｂ１個のサブフレーム、または、Ｂ２個のシンボル、または、Ｂ３個のスロット、または、Ｂ４個のマイクロスロットに事前に定義され、Ｂ１、Ｂ２、Ｂ３及びＢ４は１より大きいか等しい整数であり、 
前記第１チャネルの有効な時間帯は事前に設定されるか、または事前に約定されたものであり、長さは、Ｍ１個のサブフレーム、または、Ｍ２個のシンボル、または、Ｍ３個のスロット、または、Ｍ４個の第１時間ユニット、または、Ｍ５個のマイクロスロットであり、ここで、Ｍ１、Ｍ２、Ｍ３、Ｍ４及びＭ５は１より大きいか等しい整数であり、前記第１時間ユニットの長さは、Ｂ１個のサブフレーム、または、Ｂ２個のシンボル、または、Ｂ３個のスロット、または、Ｂ４個のマイクロスロットに事前に定義され、Ｂ１、Ｂ２、Ｂ３及びＢ４は１より大きいか等しい整数であることを特徴とする請求項１に記載のＵＬ/ＤＬ伝送リソースの割り当て方法。
【請求項３】
前記所定時間・周波数リソースは、時間領域において前記第１チャネル送信周期内の第１個、または、先頭Ｋ１個のシンボルに位置し、Ｋ１は１より大きいか等しい整数であり、
及び/または、
前記所定時間・周波数リソースは、周波数領域において、設定されたＫ２個のサブキャリアＳＣ、または、リソース・エレメントＲＥ、または、リソース・ユニットＲＵに位置し、Ｋ２は１より大きいか等しい整数であり、ここで、前記ＲＵは、時間領域においてＸ１個のシンボルを占有し、周波数領域においてＸ２個のＳＣまたはＸ２個のＲＥを占有し、または、ＲＥは周波数領域において連続的であるかまたは非連Ｍ２個続的であり、Ｘ１及びＸ２は１より大きいか等しい整数であり、
及び/または、
前記所定時間・周波数リソースは、周波数領域において連続的であるか、または、
前記所定時間・周波数リソースは、周波数領域において所定のルールに従ってシステム帯域幅に分散され、または、ダウンリンク伝送に対応する帯域幅に分散されることを特徴とする請求項１に記載のＵＬ/ＤＬ伝送リソースの割り当て方法。
【請求項４】
前記所定時間・周波数リソースは、周波数領域において、所定粒度で前記帯域幅に分布され、または、
前記所定時間・周波数リソースは、周波数領域において前記帯域幅の最大周波数、または、最小周波数、または、中央周波数領域位置に分布されることを特徴とする請求項３に記載のＵＬ/ＤＬ伝送リソースの割り当て方法。
【請求項５】
前記第１チャネルは、前記第１チャネル送信周期または前記第１チャネルの有効な時間帯におけるアップリンク伝送リソース及びダウンリンク伝送リソースの割り当て情報を通知するのに用いられるのは、
前記第１チャネルは、少なくとも、前記第１チャネル送信周期内、または、前記第１チャネルの有効な時間帯内の各々第１時間ユニットにおけるアップリンク伝送リソース及びダウンリンク伝送リソースの割り当て情報の通知に用いられ、ここで、前記第１時間ユニットの長さは、Ｂ１個のサブフレーム、または、Ｂ２個のシンボル、または、Ｂ３個のスロット、または、Ｂ４個のマイクロスロットに事前に定義され、Ｂ１、Ｂ２、Ｂ３及びＢ４は１より大きいか等しい整数であることを特徴とする請求項１に記載のＵＬ/ＤＬ伝送リソースの割り当て方法。
【請求項６】
前記第１チャネル送信周期内、または、前記第１チャネルの有効な時間帯内の各々第１時間ユニットにおけるアップリンク伝送リソース及びダウンリンク伝送リソースの割り当ては同様であり、または、
前記第１チャネル送信周期内、または、前記第１チャネルの有効な時間帯内の各々第１時間ユニットにおけるアップリンク伝送リソース及びダウンリンク伝送リソースの割り当てはそれぞれ異なり、または、
前記第１チャネル送信周期内、または、前記第１チャネルの有効な時間帯内の一部の第１時間ユニットにおけるアップリンク伝送リソース及びダウンリンク伝送リソースの割り当ては同様であり、一部の第１時間ユニットにおけるアップリンク伝送リソース及びダウンリンク伝送リソースの割り当ては異なることを特徴とする請求項５に記載のＵＬ/ＤＬ伝送リソースの割り当て方法。
【請求項７】
前記アップリンク伝送リソース及びダウンリンク伝送リソースの割り当て情報は、下記シンボル位置のうちの少なくとも２種を示し、
アップリンク伝送用のシンボル、
ダウンリンク伝送用のシンボル、
ＧＰとして使用するシンボル、
または、
前記アップリンク伝送リソース及びダウンリンク伝送リソースの割り当て情報は、事前に定義された複数のＵＬ/ＤＬ割り当て構成のうちの１種を示すことを特徴とする請求項１に記載のＵＬ/ＤＬ伝送リソースの割り当て方法。
【請求項８】
前記アップリンク伝送リソース及びダウンリンク伝送リソースの割り当て情報は、前記アップリンク伝送リソース及び前記ダウンリンク伝送リソースの、周波数領域におけるリソース位置を示すことを特徴とする請求項１ないし請求項７のいずれか１項に記載のＵＬ/ＤＬ伝送リソースの割り当て方法。
【請求項９】
前記第１チャネル送信周期により、前記第１チャネル送信周期内の所定時間・周波数リソースにおいて前記第１チャネルを伝送する前
現在アップリンクトラフィック及びダウンリンクトラフィックに基づき、前記第１チャネル送信周期または前記第１チャネルの有効な時間帯におけるアップリンク伝送リソース及びダウンリンク伝送リソースを割り当てることを特徴とする請求項１ないし請求項７のいずれか１項に記載のＵＬ/ＤＬ伝送リソースの割り当て方法。
【請求項１０】
第１チャネル送信周期に基づき、前記第１チャネル送信周期内の所定時間・周波数リソースにおいて、前記第１チャネルを伝送する伝送モジュールを備え、前記第１チャネルは、前記第１チャネル送信周期または前記第１チャネルの有効な時間帯におけるアップリンク伝送リソース及びダウンリンク伝送リソースの割り当て情報を通知するのに用いられることを特徴とするＵＬ/ＤＬ伝送リソース割り当て装置。
【請求項１１】
前記第１チャネル送信周期は、事前に設定されるか事前に約定され、長さは、Ｎ１個のサブフレーム、または、Ｎ２個のシンボル、または、Ｎ３個のスロット、または、Ｎ４個の第１時間ユニット、または、Ｎ５個のマイクロスロットであり、ここで、Ｎ１、Ｎ２、Ｎ３、Ｎ４及びＮ５は１より大きいか等しい整数であり、前記第１時間ユニットの長さは、Ｂ１個のサブフレーム、または、Ｂ２個のシンボル、または、Ｂ３個のスロット、または、Ｂ４個のマイクロスロットに事前に定義され、Ｂ１、Ｂ２、Ｂ３及びＢ４は１より大きいか等しい整数であり、
前記第１チャネルの有効な時間帯は事前に設定されるか、または事前に約定されたものであり、長さは、Ｍ１個のサブフレーム、または、Ｍ２個のシンボル、または、Ｍ３個のスロット、または、Ｍ４個の第１時間ユニット、または、Ｍ５個のマイクロスロットであり、ここで、Ｍ１、Ｍ２、Ｍ３、Ｍ４及びＭ５は１より大きいか等しい整数であり、前記第１時間ユニットの長さは、Ｂ１個のサブフレーム、または、Ｂ２個のシンボル、または、Ｂ３個のスロット、または、Ｂ４個のマイクロスロットに事前に定義され、Ｂ１、Ｂ２、Ｂ３及びＢ４は１より大きいか等しい整数であることを特徴とする請求項１０に記載のＵＬ/ＤＬ伝送リソース割り当て装置。
【請求項１２】
前記所定時間・周波数リソースは、時間領域において前記第１チャネル送信周期内の第１個、または、先頭Ｋ１個のシンボルに位置し、Ｋ１は１より大きいか等しい整数であり、
及び/または、
前記所定時間・周波数リソースは、周波数領域において、設定されたＫ２個のサブキャリアＳＣ、または、リソース・エレメントＲＥ、または、リソース・ユニットＲＵに位置し、Ｋ２は１より大きいか等しい整数であり、ここで、前記ＲＵは、時間領域においてＸ１個のシンボルを占有し、周波数領域においてＸ２個のＳＣまたはＸ２個のＲＥを占有し、または、ＲＥは周波数領域において連続的であるかまたは非連Ｍ２個続的であり、Ｘ１及びＸ２は１より大きいか等しい整数であり、
及び/または、
前記所定時間・周波数リソースは、周波数領域において連続的であるか、または、
前記所定時間・周波数リソースは、周波数領域において所定のルールに従ってシステム帯域幅に分散され、または、ダウンリンク伝送に対応する帯域幅に分散されることを特徴とする請求項１０に記載のＵＬ/ＤＬ伝送リソース割り当て装置。
【請求項１３】
前記所定時間・周波数リソースは、周波数領域において、所定粒度で前記帯域幅に分布され、または、
前記所定時間・周波数リソースは、周波数領域において前記帯域幅の最大周波数、または、最小周波数、または、中央周波数領域位置に分布されることを特徴とする請求項１２に記載のＵＬ/ＤＬ伝送リソース割り当て装置。
【請求項１４】
前記第１チャネルは、前記第１チャネル送信周期または前記第１チャネルの有効な時間帯におけるアップリンク伝送リソース及びダウンリンク伝送リソースの割り当て情報を通知するのに用いられるのは、
前記第１チャネルは、少なくとも、前記第１チャネル送信周期内、または、前記第１チャネルの有効な時間帯内の各々第１時間ユニットにおけるアップリンク伝送リソース及びダウンリンク伝送リソースの割り当て情報の通知に用いられ、
ここで、前記第１時間ユニットの長さは、Ｂ１個のサブフレーム、または、Ｂ２個のシンボル、または、Ｂ３個のスロット、または、Ｂ４個のマイクロスロットに事前に定義され、Ｂ１、Ｂ２、Ｂ３及びＢ４は１より大きいか等しい整数であることを特徴とする請求項１０に記載のＵＬ/ＤＬ伝送リソース割り当て装置。
【請求項１５】
前記第１チャネル送信周期内、または、前記第１チャネルの有効な時間帯内の各々第１時間ユニットにおけるアップリンク伝送リソース及びダウンリンク伝送リソースの割り当ては同様であり、または、
前記第１チャネル送信周期内、または、前記第１チャネルの有効な時間帯内の各々第１時間ユニットにおけるアップリンク伝送リソース及びダウンリンク伝送リソースの割り当てはそれぞれ異なり、または、
前記第１チャネル送信周期内、または、前記第１チャネルの有効な時間帯内の一部の第１時間ユニットにおけるアップリンク伝送リソース及びダウンリンク伝送リソースの割り当ては同様であり、一部の第１時間ユニットにおけるアップリンク伝送リソース及びダウンリンク伝送リソースの割り当ては異なることを特徴とする請求項１４に記載のＵＬ/ＤＬ伝送リソース割り当て装置。
【請求項１６】
前記アップリンク伝送リソース及びダウンリンク伝送リソースの割り当て情報は、下記シンボル位置のうちの少なくとも２種を示し、
アップリンク伝送用のシンボル、
ダウンリンク伝送用のシンボル、
ＧＰとして使用するシンボル、
または、
前記アップリンク伝送リソース及びダウンリンク伝送リソースの割り当て情報は、事前に定義された複数のＵＬ/ＤＬ割り当て構成のうちの１種を示すことを特徴とする請求項１０に記載のＵＬ/ＤＬ伝送リソース割り当て装置。
【請求項１７】
前記アップリンク伝送リソース及びダウンリンク伝送リソースの割り当て情報は、前記アップリンク伝送リソース及び前記ダウンリンク伝送リソースの、周波数領域におけるリソース位置を示すことを特徴とする請求項１０ないし請求項１６のいずれか１項に記載のＵＬ/ＤＬ伝送リソース割り当て装置。
【請求項１８】
前記第１チャネル送信周期により、前記第１チャネル送信周期内の所定時間・周波数リソースにおいて前記第１チャネルを伝送する前、現在アップリンクトラフィック及びダウンリンクトラフィックに基づき、前記第１チャネル送信周期または前記第１チャネルの有効な時間帯におけるアップリンク伝送リソース及びダウンリンク伝送リソースを割り当てる割り当てモジュールをさらに備えることを特徴とする請求項１０ないし請求項１６のいずれか１項に記載のＵＬ/ＤＬ伝送リソース割り当て装置。
【国際調査報告】
2019506085.tif 000012
2019506085.tif 000013
2019506085.tif 000014
2019506085.tif 000015